(57)【要約】  圧縮衣類及び方法は、身体の頭の両側の周りに、後頭部から頭の前部に配置されるように構成された頭用衣類と、胴用衣類とを含み得る。そのような衣類部分は、リンパ液を頭から下方に胴へと移動させる、１つまたは複数の制御可能な圧力適用領域を含み得る。【選択図】図５Ａ、図５Ｂ
2019505301.tif 000002
【特許請求の範囲】
【請求項１】
身体の頭の複数の部分に圧力を適用するように制御可能である、複数の頭用圧力適用領域、及び、
前記身体の胴の複数の部分に圧力を適用するように制御可能である、複数の胴用圧力適用領域、
を備えた頭用衣類及び胴用衣類と、
前記頭用衣類及び前記胴用衣類に操作可能に結合されて、少なくとも準備フェイズ及び排出フェイズにおいて、前記複数の頭用圧力適用領域及び前記複数の胴用圧力適用領域によって適用される圧力を制御する、コントローラと、を備え、
前記準備フェイズの際に、前記コントローラが、前記複数の胴用圧力適用領域及び前記複数の頭用圧力適用領域を使用して、前記胴の前記複数の部分及び前記頭の前記複数の部分に圧力を適用して、リンパ液が前記身体の前記頭及び首から排出されるように前記身体の前記胴を準備するように構成されており、
前記排出フェイズの際に、前記コントローラが、前記複数の胴用圧力適用領域及び前記複数の頭用圧力適用領域を使用して、前記胴の前記複数の部分及び前記頭の前記複数の部分に圧力を適用して、リンパ液を少なくとも前記頭から前記首へ、前記胴へ移動するように構成されている、圧縮衣類システム。
【請求項２】
前記身体が軸に沿って延び、前記準備フェイズの際に、前記コントローラが、
前記複数の胴用圧力適用領域を使用して、前記身体の前記胴の前記複数の部分に、前記軸から外側に圧力を適用するように、さらに構成されている、請求項１に記載の圧縮衣類システム。
【請求項３】
前記身体が軸に沿って延び、前記準備フェイズの際に、前記コントローラが、
前記複数の胴用圧力適用領域に圧力を適用した後に、前記複数の頭用圧力適用領域を使用して、前記身体の前記頭の前記複数の部分に、前記頭の顔から外側に圧力を適用するように、さらに構成されている、請求項１または請求項２のいずれか１項に記載の圧縮衣類システム。
【請求項４】
前記身体が軸に沿って延び、前記排出フェイズの際に、前記コントローラが、
前記複数の頭用圧力適用領域を使用して、前記身体の前記頭の前記複数の部分に、前記頭の前記顔から外側に圧力を適用し、
前記複数の頭用圧力適用領域に圧力を適用した後に、前記複数の胴用圧力適用領域を使用して、前記身体の前記胴の前記複数の部分に、前記軸から外側に圧力を適用するように、さらに構成されている、請求項１から請求項３のいずれか１項に記載の圧縮衣類システム。
【請求項５】
前記身体が軸に沿って延び、前記コントローラが、胴の圧力適用シークエンスを使用して、前記複数の胴用圧力適用領域を使用して、前記胴の前記複数の部分に圧力を適用するようにさらに構成され、前記胴の圧力適用シークエンスが、前記身体の前記軸にもっとも近い前記胴の前記複数の部分の部分から、前記身体の前記軸からもっとも離れた前記胴の前記複数の部分の部分へ連続的に、増大した圧力を適用することを含む、請求項１から請求項４のいずれかに記載の圧縮衣類システム。
【請求項６】
前記身体が軸に沿って延び、前記コントローラが、胴の圧力適用シークエンスを使用して、前記複数の胴用圧力適用領域を使用して、前記胴の前記複数の部分に圧力を適用するようにさらに構成され、前記胴の圧力適用シークエンスが、前記身体の前記軸にもっとも近い前記胴の前記複数の部分の部分から、前記身体の前記軸からもっとも離れた前記胴の前記複数の部分の部分へ不連続的に、増大した圧力を適用することを含む、請求項１から請求項４のいずれかに記載の圧縮衣類システム。
【請求項７】
前記コントローラが、頭の圧力適用シークエンスを使用して、前記複数の頭用圧力適用領域を使用して、前記頭の前記複数の部分に圧力を適用するようにさらに構成され、前記頭の圧力適用シークエンスが、前記頭の前記顔にもっとも近い前記頭の前記複数の部分の部分へ、前記頭の前記顔から遠く、前記身体の前記首にもっとも近い前記頭の前記複数の部分の部分へ連続的に、増大した圧力を適用することを含む、請求項１から請求項６のいずれかに記載の圧縮衣類システム。
【請求項８】
前記コントローラが、頭の圧力適用シークエンスを使用して、前記複数の頭用圧力適用領域を使用して、前記頭の前記複数の部分に圧力を適用するようにさらに構成され、前記頭の圧力適用シークエンスが、前記頭の前記顔にもっとも近い前記頭の前記複数の部分の部分へ、前記頭の前記顔から遠く、前記身体の前記首にもっとも近い前記頭の前記複数の部分の部分へ不連続的に、増大した圧力を適用することを含む、請求項１から請求項６のいずれかに記載の圧縮衣類システム。
【請求項９】
前記コントローラが、
前記複数の頭用圧力適用領域を使用して前記頭の前記複数の部分の１つではなくすべてに第１の圧力を適用し、
前記複数の頭用圧力適用領域を使用して前記頭の前記複数の部分の１つに、前記第１の圧力より大である第２の圧力を適用するようにさらに構成されている、請求項１から請求項８のいずれかに記載の圧縮衣類システム。
【請求項１０】
前記第１の圧力が約０ｍｍＨＧである、請求項９に記載の圧縮衣類システム。
【請求項１１】
前記第２の圧力が２０ｍｍＨＧ以上である、請求項９に記載の圧縮衣類システム。
【請求項１２】
前記コントローラが、
前記複数の胴用圧力適用領域を使用して前記胴の前記複数の部分の１つではなくすべてに第１の圧力を適用し、
前記複数の胴用圧力適用領域を使用して前記胴の前記複数の部分の１つに、前記第１の圧力より大である第２の圧力を適用するようにさらに構成されている、請求項１から請求項１１のいずれかに記載の圧縮衣類システム。
【請求項１３】
前記第１の圧力が約０ｍｍＨＧである、請求項１２に記載の圧縮衣類システム。
【請求項１４】
前記第２の圧力が４０ｍｍＨＧ以上である、請求項１２に記載の圧縮衣類システム。
【請求項１５】
身体の胴の近位に配置可能な胴用衣類部分であって、前記胴用衣類部分が、前記胴の複数の部分に圧力を適用するように制御可能である、複数の胴用圧力適用領域を規定し、前記胴用衣類部分がさらに、
前記胴の後部から前記胴の前記左側を越えて前記胴の前記前部に延びる左側胴用衣類部分と、
前記胴の後部から前記胴の前記右側を越えて前記胴の前記前部に延びる右側胴用衣類部分であって、前記右側胴用衣類部分が、前記左側胴用衣類部分に、前記胴の前記前部の近位で取外し可能に結合可能であり、前記右側胴用衣類部分が、前記左側胴用衣類部分に、前記胴の前記後部の近位で取外し可能に結合可能である、前記右側胴用衣類部分と、
前記胴の前記後部の近位に配置可能であり、前記胴の首領域の近位の前記左側衣類部分及び前記右側衣類部分に結合された、後部胴用衣類部分と、
前記後部胴用衣類部分から延びて、前記胴の前記左側周りに、前記胴の前記前部に延びる、左側巻付け部分であって、前記左側巻付け部分が、前記胴用衣類部分を前記身体の前記胴の周りに締め付けるように、少なくとも前記左側胴用衣類部分に取外し可能に結合可能である、前記左側巻付け部分と、
前記後部胴用衣類部分から延びて、前記胴の前記右側周りに、前記胴の前記前部に延びる、右側巻付け部分であって、前記右側巻付け部分が、前記胴用衣類部分を前記身体の前記胴の周りに締め付けるように、少なくとも前記右側胴用衣類部分に取外し可能に結合可能である、前記右側巻付け部分と、
を備えている、前記胴用衣類部分を備えた、圧縮衣類システム。
【請求項１６】
前記左側巻付け部分と前記右側巻付け部分との各々が、前記左側巻付け部分と前記右側巻付け部分とを前記身体の前記胴の周りに移動するように、前記身体の手を受領するように構成されたミット開口を備えている、請求項１５に記載の圧縮衣類システム。
【請求項１７】
前記左側巻付け部分と前記右側巻付け部分との各々が、前記胴用衣類部分を前記身体の近位で締め付けるための締付装置を備え、前記締付装置が、
前記巻付け部分の第１の部分と第２の部分との間に位置する少なくとも１本の紐と、
前記少なくとも１本の紐に結合され、前記巻付け部分の前記第１の部分を前記巻付け部分の前記第２の部分に対して移動するように、前記少なくとも１本の紐にテンションを適用するように構成された、締付デバイスと、を備えている、請求項１５または請求項１６のいずれか１項に記載の圧縮衣類システム。
【請求項１８】
前記右側胴用衣類部分が、前記左側胴用衣類部分に、前記胴の後部の近位で、前記胴用衣類部分に関する複数の異なるサイズを規定するために複数の位置に沿って、取外し可能に結合可能である、請求項１５から請求項１７のいずれか１項に記載の圧縮衣類システム。
【請求項１９】
前記右側胴用衣類部分が、ジッパを使用して、前記左側胴用衣類部分に、前記胴の前部の近位で取外し可能に結合可能である、請求項１５から請求項１８のいずれか１項に記載の圧縮衣類システム。
【請求項２０】
前記身体の前記首の近位に位置付け可能である、前記左側胴用衣類部分及び前記右側胴用衣類部分に結合された首用衣類部分をさらに備え、前記首用衣類部分が、前記身体の少なくとも１つの首部分に圧力を適用するように制御可能である、少なくとも１つの首用圧力適用領域を規定し、前記首用衣類部分が、前記複数の胴用圧力適用領域の選択された胴用圧力適用領域に操作可能に結合されて、前記選択された胴用圧力適用領域と同じ圧力量を適用する、請求項１５から請求項１９のいずれか１項に記載の圧縮衣類システム。
【請求項２１】
前記胴用衣類と関連して、身体の頭の１つまたは複数の部分に圧力を適用するように制御可能である複数の頭用圧力適用領域を規定する頭用衣類部分をさらに備えている、請求項１５から請求項２０のいずれか１項に記載の圧縮衣類システム。
【請求項２２】
前記複数の胴用圧力適用領域が、複数の左側胴用圧力適用領域と、前記複数の左側胴用圧力適用領域とは異なる複数の右側胴用圧力適用領域とを備え、前記複数の左側胴用圧力適用領域の各々が、前記複数の右側胴用圧力適用領域の異なる右側胴用圧力適用領域に操作可能に結合されており、前記操作可能に結合された右側胴用圧力領域と左側胴用圧力領域とが、同じ適用圧力を共有する、請求項１５から請求項２１のいずれか１項に記載の圧縮衣類システム。
【発明の詳細な説明】
【技術分野】
【０００１】
本出願は、２０１６年１月２１日に出願された、米国仮出願第６２／２８１，７０６号の利益を主張する。この仮出願の開示は、本明細書で参照することにより、その全体が組み込まれる。
【０００２】
本開示は、概して、圧縮衣類及び圧縮衣類システムの使用、ならびに、たとえば、身体の頭、首、及び胴の部分などの身体の部分に圧力を適用するための方法に関する。
【背景技術】
【０００３】
様々なタイプの圧縮衣類が、たとえば、リンパ浮腫、浮腫、創傷治療などの処置のためなどに利用可能である。たとえば、衣類は、患者に治療を施すための膨らませられるチャンバまたはセル（または他の作動可能要素）を含み得、かつ、人間または動物の任意の身体の部分の周りに配置され得る。具体的には、衣類は、リンパ液の蓄積に起因して腫脹を示し、衣類によって与えられる圧縮治療の利益を受けることになる身体の部分の周りに配置され得る。たとえば、そのようなチャンバまたはセルは、リンパ液を１つの領域から別の領域に移動することにより、患者に治療を施すために、様々なシークエンスで１つまたは複数の異なる圧力に膨らませられ得る。換言すると、そのような圧縮衣類は、冒された四肢において、身体に圧力を適用する際に使用するために、個人の身体の少なくとも一部分の周りに配置され得る。これら圧縮衣類は、患者自身によるか、他者の補助を伴って、着られる（たとえば、付けられる）場合があり、また、脱がれる（たとえば、外される）場合がある。
【発明の概要】
【０００４】
１つの例示的圧縮衣類システムは、頭用衣類及び胴用衣類、ならびにコントローラを含み得る。頭用衣類及び胴用衣類は、身体の頭の複数の部分に圧力を適用するように制御可能である、複数の頭用圧力適用領域と、身体の胴の複数の部分に圧力を適用するように制御可能である、複数の胴用圧力適用領域と、を含み得る。コントローラは、頭用衣類及び胴用衣類に操作可能に結合されて、少なくとも準備フェイズ及び排出フェイズにおいて、複数の頭用圧力適用領域及び複数の胴用圧力適用領域によって適用される圧力を制御する場合がある。準備フェイズの際に、コントローラは、複数の胴用圧力適用領域及び複数の頭用圧力適用領域を使用して、胴の複数の部分及び頭の複数の部分に圧力を適用して、リンパ液が身体の頭及び首から排出されるように身体の胴を準備するように構成されている場合がある。排出フェイズの際に、コントローラは、複数の胴用圧力適用領域及び複数の頭用圧力適用領域を使用して、胴の複数の部分及び頭の複数の部分に圧力を適用して、リンパ液を少なくとも頭から首へ、胴へ移動するように構成されている場合がある。
【０００５】
１つまたは複数の実施形態では、身体は軸に沿って延びる場合があり、準備フェイズの際に、コントローラは、複数の胴用圧力適用領域を使用して、身体の胴の複数の部分に、軸から外側に圧力を適用するように、さらに構成されている場合がある。
【０００６】
１つまたは複数の実施形態では、身体は軸に沿って延び、準備フェイズの際に、コントローラは、複数の胴用圧力適用領域に圧力を適用した後に、複数の頭用圧力適用領域を使用して、身体の頭の複数の部分に、頭の顔から外側に圧力を適用するように、さらに構成されている場合がある。
【０００７】
１つまたは複数の実施形態では、身体が軸に沿って伸び、排出フェイズの間、コントローラは、複数の頭用圧力適用領域を使用して、身体の頭の複数の部分に、頭の顔から外側に圧力を適用し、複数の頭用圧力適用領域に圧力を適用した後に、複数の胴用圧力適用領域を使用して、身体の胴の複数の部分に、軸から外側に圧力を適用するように、さらに構成されている場合がある。
【０００８】
１つまたは複数の実施形態では、身体は軸に沿って延び、コントローラは、胴の圧力適用シークエンスを使用して、複数の胴用圧力適用領域を使用して、胴の複数の部分に圧力を適用するようにさらに構成され得、胴の圧力適用シークエンスは、身体の軸にもっとも近い胴の複数の部分の部分から、身体の軸からもっとも離れた胴の複数の部分の部分へ連続的に、増大した圧力を適用することを含み得る。
【０００９】
１つまたは複数の実施形態では、身体は軸に沿って延び、コントローラは、胴の圧力適用シークエンスを使用して、複数の胴用圧力適用領域を使用して、胴の複数の部分に圧力を適用するようにさらに構成され得る。さらに、胴の圧力適用シークエンスは、身体の軸にもっとも近い胴の複数の部分の部分から、身体の軸からもっとも離れた胴の複数の部分の部分へ不連続的に、増大した圧力を適用することを含み得る。
【００１０】
１つまたは複数の実施形態では、コントローラは、頭の圧力適用シークエンスを使用して、複数の頭用圧力適用領域を使用して、頭の複数の部分に圧力を適用するようにさらに構成され得、頭の圧力適用シークエンスは、頭の顔にもっとも近い頭の複数の部分の部分へ、頭の顔から遠く、身体の首にもっとも近い頭の複数の部分の部分へ連続的に、増大した圧力を適用することを含み得る。
【００１１】
１つまたは複数の実施形態では、コントローラは、頭の圧力適用シークエンスを使用して、複数の頭用圧力適用領域を使用して、頭の複数の部分に圧力を適用するようにさらに構成され得、頭の圧力適用シークエンスが、頭の顔にもっとも近い頭の複数の部分の部分へ、頭の顔から遠く、身体の首にもっとも近い頭の複数の部分の部分へ不連続的に、増大した圧力を適用することを含み得る。
【００１２】
１つまたは複数の実施形態では、コントローラは、複数の頭用圧力適用領域を使用して頭の複数の部分の１つではなくすべてに第１の圧力を適用し、複数の頭用圧力適用領域を使用して頭の複数の部分の１つに、第１の圧力より大である第２の圧力を適用するようにさらに構成されている場合がある。１つまたは複数の実施形態では、第１の圧力は、約０ｍｍＨＧである場合がある。１つまたは複数の実施形態では、第２の圧力は、２０ｍｍＨＧ以上である場合がある。
【００１３】
１つまたは複数の実施形態では、コントローラは、複数の胴用圧力適用領域を使用して胴の複数の部分の１つではなくすべてに第１の圧力を適用し、複数の胴用圧力適用領域を使用して胴の複数の部分の１つに、第１の圧力より大である第２の圧力を適用するようにさらに構成されている場合がある。１つまたは複数の実施形態では、第１の圧力は、約０ｍｍＨＧである。１つまたは複数の実施形態では、第２の圧力は、４０ｍｍＨＧ以上である場合がある。
【００１４】
１つの例示的圧縮衣類システムは、身体の胴の近位に配置可能である胴用衣類部分を含み得る。胴用衣類部分は、胴の複数の部分に圧力を適用するように制御可能である、複数の胴用圧力適用領域を規定し得る。さらに、胴用衣類部分は、胴の後部から胴の左側を越えて胴の前部に延びる左側胴用衣類部分と、胴の後部から胴の右側を越えて胴の前部に延びる右側胴用衣類部分と、をさらに含み得る。右側胴用衣類部分は、左側胴用衣類部分に、胴の前部の近位で取外し可能に結合可能である場合があり、右側胴用衣類部分は、左側胴用衣類部分に、胴の後部の近位で取外し可能に結合可能である場合がある。胴用衣類部分は、胴の後部の近位に配置可能であり、胴の首領域の近位の左側衣類部分及び右側衣類部分に結合された、後部胴用衣類部分と、後部胴用衣類部分から延びて、胴の左側周りに、胴の前部に延びる、左側巻付け部分と、をさらに含み得る。さらに、左側巻付け部分は、胴用衣類部分を身体の胴の周りに締め付けるように、少なくとも左側胴用衣類部分に取外し可能に結合可能である場合がある。胴用衣類部分は、後部胴用衣類部分から延びて、胴の右側周りに、胴の前部に延びる、右側巻付け部分をさらに含み得る。右側巻付け部分は、胴用衣類部分を身体の胴の周りに締め付けるように、少なくとも右側胴用衣類部分に取外し可能に結合可能である場合がある。
【００１５】
１つまたは複数の実施形態では、左側巻付け部分と右側巻付け部分との各々は、左側巻付け部分と右側巻付け部分とを身体の胴の周りに移動するように、身体の手を受領するように構成されたミット開口を規定し得る。１つまたは複数の実施形態では、左側巻付け部分と右側巻付け部分との各々が、胴用衣類部分を身体の近位に締め付けるための締付装置を含み得る。締付装置は、巻付け部分の第１の部分と第２の部分との間に位置する少なくとも１本の紐と、少なくとも１本の紐に結合され、巻付け部分の第１の部分を巻付け部分の第２の部分に対して移動するように、少なくとも１本の紐にテンションを適用するように構成された、締付デバイスと、を含み得る。
【００１６】
１つまたは複数の実施形態では、右側胴用衣類部分は、左側胴用衣類部分に、胴の後部の近位で、胴用衣類部分に関する複数の異なるサイズを規定するために複数の位置に沿って、取外し可能に結合可能である場合がある。１つまたは複数の実施形態では、右側胴用衣類部分は、ジッパを使用して、左側胴用衣類部分に、胴の前部の近位で取外し可能に結合可能である場合がある。
【００１７】
１つまたは複数の実施形態では、例示的衣類は、身体の首の近位に位置付け可能である、左側胴用衣類部分及び右側胴用衣類部分に結合された首用衣類部分をさらに含み得る。首用衣類部分は、身体の少なくとも１つの首部分に圧力を適用するように制御可能である、少なくとも１つの首用圧力適用領域を規定し得、また、首用衣類部分が、複数の胴用圧力適用領域の選択された胴用圧力適用領域に操作可能に結合されて、選択された胴用圧力適用領域と同じ圧力量を適用し得る。
【００１８】
１つまたは複数の実施形態では、例示的衣類は、胴用衣類と関連して、身体の頭の１つまたは複数の部分に圧力を適用するように制御可能である複数の頭用圧力適用領域を規定する頭用衣類部分をさらに含み得る。複数の胴用圧力適用領域が、複数の左側胴用圧力適用領域と、複数の左側胴用圧力適用領域とは異なる複数の右側胴用圧力適用領域とを含み得る。複数の左側胴用圧力適用領域の各々は、複数の右側胴用圧力適用領域の異なる右側胴用圧力適用領域に操作可能に結合されている場合があり、操作可能に結合された右側胴用圧力領域と左側胴用圧力領域とは、同じ適用圧力を共有する場合がある。
【００１９】
上述の概要は、本開示の各実施形態またはすべての実施態様を記載することは意図していない。より完全な理解が、添付図面と関連して、以下の詳細な説明及び特許請求の範囲を参照することにより、明らかになるとともに理解されることになる。
【図面の簡単な説明】
【００２０】
【図１】身体上に配置された例示的圧縮システムの正面図である。
【図２】例示的圧縮システムを使用した、頭及び首を通るリンパ液の方向性流れを示す、人体の頭及び首の例示的側面図である。
【図３】例示的圧縮システムを使用した、特定のリンパ節、ならびに、頭及び首を通るリンパ液の方向性流れを示す、人体の頭及び首の斜視図である。
【図４】例示的圧縮システムを使用した、特定のリンパ節、及び、身体を通るリンパ液の方向性流れを示す、人体の例示的背面図である。
【図５Ａ】１つまたは複数の圧力適用領域を含む、図１に示すような例示的圧縮衣類システムの胴用衣類部分及び首用衣類部分の平面図である。
【図５Ｂ】１つまたは複数の圧力適用領域を含む、図１に示すような例示的圧縮衣類システムの２つの首用衣類部分の平面図である。
【図６】１つまたは複数の圧力適用領域を含む、図１に示すような例示的圧縮衣類システムの頭用衣類部分の平面図である。
【図７】身体に着せられるように構成された、図５Ａの胴用衣類部分の正面図である。
【図８】身体に着せられている、図５Ａの胴用衣類部分の正面図である。
【図９】身体の周りで結合されている、図５Ａの胴用衣類部分の正面図である。
【図１０】身体の周りでさらに結合されるか固定されている、図５Ａの胴用衣類部分の正面図である。
【図１１】身体の周りでさらに結合されるか固定されている、図５Ａの胴用衣類部分の正面図である。
【図１２】身体に着せられ、結合された後の、図５Ａの胴用衣類部分の正面図である。
【図１３】頭に着せられている、図５Ａの頭用衣類部分の前方斜視図である。
【図１４】頭の顎の周りで結合されている、図５Ａの頭用衣類部分の前方斜視図である。
【図１５】頭の顎の周りでさらに結合されている、図５Ａの頭用衣類部分の前方斜視図である。
【図１６】鼻用衣類部分を使用した、頭の顎の周りで結合されている、図５Ａの頭用衣類部分の正面斜視図である。
【図１７Ａ】図１２の例示的圧縮システム内で使用して、このシステムの１つまたは複数の衣類部分の着用を補助するための、例示的締付装置（たとえば、締め紐システム）の斜視図である。
【図１７Ｂ】図１２の例示的圧縮システム内で使用して、このシステムの１つまたは複数の衣類部分の着用を補助するための、例示的締付装置（たとえば、締め紐システム）の斜視図である。
【図１８】胴への例示的な圧力適用シークエンスをさらに示す、身体に位置する図５Ａの胴用衣類部分の正面図である。
【図１９】頭への例示的な圧力適用シークエンスをさらに示す、頭に位置する図６の頭用衣類部分の正面斜視図である。
【図２０】図１の例示的圧縮システム及び図５から図１９の例示的衣類部分を使用して実施され得る、例示的治療方法のブロック図である。
【図２１】図２０の方法の例示的準備フェイズのブロック図である。
【図２２】図２０の方法の例示的排出フェイズのブロック図である。
【図２３Ａ】図１及び図５から図１９に示すような例示的衣類部分の１つで使用され得る、例示的圧縮衣類の１つまたは複数のチャンバまたはセル（たとえば、膨らませられるチャンバまたはセル）の断面図である。
【図２３Ｂ】図１及び図５から図１９に示すような例示的衣類部分の１つで使用され得る、例示的圧縮衣類の作動可能要素を含む１つまたは複数のセル（たとえば、膨らませられるチャンバまたはセルを伴わない）の断面図である。
【発明を実施するための形態】
【００２１】
説明的実施形態の以下の詳細な説明では、本明細書の一部を形成する添付図面の各図を参照する。図面では、説明のために、実施され得る特定の実施形態が示されている。他の実施形態が利用され得、また、本明細書に提供される開示の範囲から逸脱することなく（たとえば、依然として開示の範囲内にある）、構造的変更が行われ得ることを理解されたい。
【００２２】
例示的装置、システム、構造、及び方法が、図１から図２３を参照して記載されるものとする。１つの実施形態からの要素が、他の実施形態の要素と組み合わせて使用され得ることと、本明細書に説明される特徴の組合せを使用するそのような装置及びシステムの可能性のある実施形態は、図に示され、及び／または、本明細書に記載される特定の実施形態に限定されないこととを、当業者には理解されたい。さらに、本明細書に記載の実施形態が、必ずしも縮尺通りに示されていない多くの要素を含み得ることを理解されたい。さらにまた、本明細書の様々な要素のサイズ及び形状は変更され得るが、依然として本開示の範囲内にあり、しかし、特定の１つもしくは複数の形状及び／またはサイズ、または、要素のタイプは、他のものよりも有利である場合があることを理解されたい。
【００２３】
本開示は概して、身体（たとえば、人間、動物など）の少なくとも一部分に着せられるように構成され、また、その身体の部分に圧力を適用するように構成された衣類部分を含む圧縮衣類、圧縮衣類と、身体の少なくとも一部分に適用される圧力を制御するための装置とを含む圧縮衣類システム、及び、そのような圧縮衣類及び圧縮衣類システムを使用する方法（たとえば、衣類の着用方法、身体に適用される圧力の制御方法など）に関する。
【００２４】
圧縮衣類システム（たとえば、「Ｌｙｍｐｈｅｄｅｍａ  ｔｒｅａｔｍｅｎｔ  ｓｙｓｔｅｍ」と名称が付された米国特許第６，１７９，７９６号、「Ｌｙｍｐｈｅｄｅｍａ  Ｔｒｅａｔｍｅｎｔ  Ｓｙｓｔｅｍ」と名称が付された米国特許第６，６４５，１６５号、「Ｌｙｍｐｈｅｄｅｍａ  Ｔｒｅａｔｍｅｎｔ  Ｓｙｓｔｅｍ」と名称が付された米国特許第６，８６０，８６２号、及び、「Ｌｙｍｐｈｅｄｅｍａ  Ｔｒｅａｔｍｅｎｔ  Ｓｙｓｔｅｍ」と名称が付された米国特許第６，９６６，８８４号に記載の圧縮衣類など。これら文献は、参照することにより、本明細書に組み込まれ、また、本明細書に記載の特徴を変更するか、特徴で変更され得る）は、リンパ浮腫を伴う人々、治療を必要とする動物、創傷治療などのための治療を含む、様々な理由のために使用され得る。本明細書で使用される場合、身体との用語は、人間だけでなく、本明細書に記載のコンセプト及び特徴から利益を得る場合がある任意の他の動物の種にも言及する。これら圧縮衣類は、個人の身体の少なくとも一部分の周りに配置され、また、冒された四肢（たとえば、頭、首、腕、胴、肩など）において、身体に圧力を適用するように使用され得る。本明細書に記載のいくつかの実施形態は、身体の少なくとも一部分（たとえば、人体、腕、胴、肩、頭、首など）に配置（たとえば、巻き付けられる、隣接して配置される、近位に配置されるなど）されるように構成された衣類を有する圧縮システムを含み得る。圧縮衣類は、個人自身によるか、他者の補助を伴って、着られる（たとえば、付けられる）場合があり、また、脱がれる（たとえば、外される）場合がある。衣類は、圧縮治療を実施するように、流体（たとえば、空気）を受領するように構成された衣類に分布（たとえば、全体を通して分布される、中心ポイントまたは軸から「放射状」の同心パターンで分布される、長さに沿うなど）される１つまたは複数のチャンバ（たとえば、セル、仕切り、シールされた容量、空気袋など）をも含み得る。
【００２５】
圧縮衣類システムによって提供される圧縮治療は、リンパ浮腫の処置を助ける場合がある。リンパ浮腫は、遺伝によるか、がん治療によって生じるか、寄生虫感染、傷害などによって生じる場合がある、局所的な流体の停留、及び、組織の腫脹の状況である。たとえば、頭及び首のリンパ浮腫は、頭、首、顎下線エリア、頬部、鼻部、眼瞼部などの周りの腫脹を生じ得る。頭及び首を覆う本明細書に記載の圧縮衣類は、冒された個人によって使用されて、治療効果のある利益をもたらす場合がある。具体的には、圧縮衣類は、リンパ液を、より有益な位置（たとえば、冒された領域から離れた排出エリアなど）に移動するように圧力を適用することにより、リンパ節または管を操作するように構成され得る。たとえば、本明細書に記載のシステムを使用する圧縮治療は、頭及び首のエリアの周りで実施して、たとえば、リンパ液を胴に移動することにより、頭及び首のエリアにおけるリンパ浮腫の治療の補助をする場合がある。
【００２６】
本明細書に記載の圧縮衣類は、圧縮治療を施すために、身体の冒された領域に圧力を適用するように構成されている場合がある。圧縮衣類は、制御可能な圧力適用領域を各々が含む様々な部分を含み得る。制御可能な圧力適用領域の各々は、（たとえば、治療の間の特定の時間において）身体の特定の部分に圧力を適用するように構成されている場合がある。制御可能な圧力適用領域は、互いに組み合わせて作用して、身体に圧力のシークエンスを適用することにより、治療を施す助けになる場合がある。この圧力のシークエンスは、リンパ液を所望の方向（たとえば、頭から首へ、首から胴へなど）に移動する。そのような、リンパ液を移動する、身体への圧力のシークエンスの適用（たとえば、圧縮治療の期間の間の異なる時点で、頭及び首の１つまたは複数の部分に圧力が適用される）は、身体への動的圧力の適用と呼ばれる場合がある。圧力のシークエンスは、たとえば遠位の領域から近位の領域への、圧力勾配と呼ばれる場合がある。さらに、いくつかの実施形態では、動的圧力は、連続的には適用されず、代わりに、本明細書にさらに記載するように、不連続的に適用される場合がある。
【００２７】
圧縮衣類の制御可能な圧力適用領域は、身体に静的圧力を適用する場合もある。たとえば、圧縮衣類は、衣類の一部が、治療期間にわたって身体に配置されている場合に一定の圧力を適用し得る（たとえば、治療期間にわたる静的圧力）または、治療期間の間、経時的に変化するように制御され得る圧力（たとえば、動的圧力）を適用し得る。１つまたは複数の実施形態では、動的圧力は、圧縮衣類の１つまたは複数のチャンバを通して身体の一部に適用され得る。１つまたは複数のチャンバは、流体を受領するように構成され得る。代替的、または、１つもしくは複数の流体受領チャンバと組み合わせて、そのような圧力が、身体に圧力を適用するように構成された圧縮衣類の１つまたは複数の作動可能要素（たとえば、圧力を与えるのに適切である、電気的に制御される材料）を使用して適用され得る。
【００２８】
身体、たとえば人体１０の少なくとも一部の周りに配置されるように構成された衣類１０１（たとえば、圧縮衣類）を含む例示的圧縮衣類システム１００が、図１に示されている。衣類１０１は、様々な異なる方法で身体に対して（たとえば、図２から図４に示すように、頭１４、首１１、身体１０の前面部分、身体１０の背面部分、前額部１５、顎１８の下、右頬１７、左頬１６、胴２０に対して）配置され得る。たとえば、図１に示すように、衣類１０１は、身体１０の頭、首、及び胴の周りに配置されている。１つまたは複数の実施形態では、衣類１０１は、腕、腰部、脚部、または身体１０の任意の他の部分をもカバーする場合がある。図１に示すように、衣類１０１が、身体１０の頭、首、及び胴に配置されているが、衣類１０１は、身体１０の頭及び首に配置される部分のみ、身体１０の頭に配置される部分のみ、身体１０の胴に配置される部分のみ、及び、身体１０の胴及び首に配置される部分のみを含む場合もある。
【００２９】
例示的衣類１０１は、首用衣類部分１１０、頭用衣類部分１２０、及び胴用衣類部分１４０を含み得る。首用衣類部分１１０、頭用衣類部分１２０、及び胴用衣類部分１４０の各々は、様々な方法で互いに結合されている場合がある。たとえば、１つまたは複数の実施形態では、頭用衣類部分１２０と首用衣類部分１１０とは、互いに結合されている場合がある。より具体的には、頭用衣類部分１２０と首用衣類部分１１０とは、身体１０の後部、身体１０の前方で、頭用衣類部分１２０と首用衣類部分１１０とが交差する部分に沿って、互いに結合しているなどの場合がある。
【００３０】
胴用衣類部分１４０は、身体１０の胴の近くに配置されるように構成され得る。１つまたは複数の実施形態では、胴用衣類部分１４０は、首用衣類部分１１０に結合可能である場合がある（たとえば、胴用衣類部分１４０は、頭用衣類部分１２０及び首用衣類部分１１０とは分離している場合があり、胴用衣類部分１４０は、首用衣類部分１１０及び／または頭用衣類部分１２０に、たとえばホック及びループの締結具を使用して、取外し可能に結合しているなどの場合がある）。たとえば、胴用衣類部分１４０と首用衣類部分１１０とは、身体１０の後方、身体１０の前方で、胴用衣類部分１４０と首用衣類部分１１０とが交差する部分に沿って、互いに結合しているなどの場合がある。さらにまた、１つまたは複数の実施形態では、胴用衣類部分１４０と首用衣類部分１１０とは、胴用衣類部分１４０と首用衣類部分１１０とが交差する部分全体に沿って（たとえば、そのような部分が互いに隣接して置かれる位置）、またはその一部のみに沿って（たとえば、衣類が曲がり、ユーザの身体に適合するために、結合領域の開口部のみを残して）、互いに結合している場合がある。
【００３１】
図１に示すように、衣類１０１は、首の前面部分の近位で、かつ、衣類１０１が身体上に位置している場合には、気管に隣接して、首用衣類部分１１０と胴用衣類部分１４０との間の開領域１１５をも含み得る。開領域１１５は、衣類１０１を着ている個人の気道にアクセスすることを可能にする場合がある。
【００３２】
衣類１０１は、（たとえば、図６及び図７、ならびに、図１８及び図１９に示すように）衣類１０１の各領域に位置する圧力適用領域を規定するか含む場合がある。圧力適用領域の各々は、身体の一部分に圧力を適用するように、制御可能であるか構成可能である場合がある。たとえば、頭用衣類部分１２０は、頭の１つまたは複数の部分（たとえば、前額部、頬、顎の下、後頭部）に圧力を適用するように制御可能であるか構成可能である、頭用圧力適用領域を含み得る。首用衣類部分１１０は、首の１つまたは複数の部分（たとえば、後部首領域、側部首領域など）に圧力を適用するように制御可能であるか構成可能である、首用圧力適用領域を含み得る。胴用衣類部分１４０は、胴の１つまたは複数の部分（たとえば、各腕の下の胴領域、胴前部、胴後部など）に圧力を適用するように制御可能であるか構成可能である、胴用圧力適用領域を含み得る。１つまたは複数の実施形態では、衣類１０１は、圧力適用領域をカバーする外部の材料を含み得る。
【００３３】
頭用衣類部分１２０は、身体１０の頭に着用されるように構成され得る。換言すると、頭用衣類部分１２０は、身体１０の頭に配置及び固定される場合がある（たとえば、鼻を越える締結具、前額部を越える締結具、顎の下の締結具、頭頂部上の締結具などを使用して固定される）。たとえば、そのような締結装置により、１つの衣類を、様々なサイズ及び形状の身体の部位で使用するために調整することができる場合がある。１つまたは複数の実施形態では、頭用衣類部分１２０は、頭の後方から頭の前方に、身体１０の頭の両側周りに配置されるように構成されるものとして記載され得る。
【００３４】
図６の頭用衣類部分１２０の平面図に示すように、頭用衣類部分１２０は、後頭部用衣類部分１２８、右側頭用衣類部分１３４、及び左側頭用衣類部分１３６を含み得る。後頭部用衣類部分１２８は、身体１０の後頭部に近接して配置可能である場合がある。右側頭用衣類部分１３４は、後頭部用衣類部分１２８から延びるとともに、頭の後方から頭の前方に、頭の右側に配置可能（たとえば、周囲に巻かれる）である場合がある。左側頭用衣類部分１３６は、後頭部用衣類部分１２８から延びるとともに、頭の後方から頭の前方に、頭の左側に配置可能（たとえば、周囲に巻かれる）である場合がある。後頭部用衣類部分１２８、右側頭用衣類部分１３４、及び左側頭用衣類部分１３６（または、そのような部分の各々）は、頭の後方、頭の右側、及び頭の左側にそれぞれ圧力を適用するように構成可能であるか制御可能である圧力適用領域（たとえば、そのような部分の各々に関連付けられた身体の領域に圧力を適用するための１つまたは複数の頭用圧力適用領域の各々、衣類の１つまたは複数の部分に対応する身体の１つまたは複数の領域に圧力を適用するための１つまたは複数の頭用圧力適用領域など）を含み得る。
【００３５】
頭用衣類部分１２０は、右頬用衣類部分１２２及び左頬用衣類部分１２４をも含み得る。右頬用衣類部分１２２は、頭の右頬の近位に配置可能である場合があり、左頬用衣類部分１２４は、頭の左頬の近位に配置可能である場合がある。右頬用衣類部分１２２及び左頬用衣類部分１２４の各々は、頬の一部分に圧力を適用するように構成可能であるか制御可能である場合がある圧力適用領域（たとえば、１つまたは複数の頬用圧力適用領域）を含み得る。頭用衣類部分１２０は、顎下用衣類部分を規定する右側顎下部分１２５及び左側顎下部分１０９をも含み得る。顎下用衣類部分は、顎の下の一部分（たとえば、「ゆらゆらしている（ｗａｄｄｌｅ）」エリア）に圧力を適用するように構成可能である場合がある圧力適用領域（たとえば、１つまたは複数の顎下用圧力適用領域）を含み得る。
【００３６】
頭用衣類部分１２０は、様々な異なる方法で、身体の頭に着用され得る。たとえば、頭用衣類部分１２０の各部分は、様々な異なるストラップまたは接続要素を使用して、頭用衣類部分１２０の他の部分に取り付けられ得る。可撓性または剛性の接続要素、ホック及びループの締結具、衣類に接続されたストラップ、追加または別の接続衣類要素またはストラップ、勘合ホック、身体の一部に対する形態に成形された要素（鼻部のブリッジなど）などの、任意の適切な接続装置が、頭用衣類部分１２０または、本明細書に記載の任意の他の衣類部分を着用するために使用され得る。
【００３７】
これらストラップ及び接続要素は、頭用衣類部分１２０の各部分（たとえば、圧力適用領域に関連づけられた表面）を、身体の表面の近くに維持する場合があり、それにより、頭用衣類部分１２０が、たとえば流体が圧力適用領域のチャンバに提供された際などに、身体の特定の部分（たとえば、頬、顎下、前額部、側頭部など）に効果的に圧力を適用し得る。換言すると、ストラップまたは接続要素は、圧力適用領域を使用して圧力が適用されている場合（たとえば、流体が圧力適用領域のチャンバに提供される場合など）に、頭用衣類部分１２０が身体の一部分の表面から離れるように移動することを防止するのを補助する場合があり、そうでなければ、たとえば、圧力が効果的に適用され得るように、身体の一部分の近くに維持する。種々のストラップまたは接続要素により、圧力が適用された際に身体から離れないように衣類部分を維持し、それにより、衣類の縁部における（たとえば圧力を一様に適用するための）一様な圧力適用領域が、そのような縁部（たとえば、頭の頬に近接する衣類の縁部、頭の顎に近接する衣類の縁部、顎下に近接する衣類の縁部、頭の側頭部に近接する衣類の縁部など）に隣接する身体の領域に圧力を適用する間、定位置に維持されるようになっている。
【００３８】
たとえば、頭用衣類部分１２０は、右側顎下部分１２５及び左側顎下部分１０９を含む顎下用衣類部分と、１つまたは複数の鼻部分１３０と、前額部ストラップ１３７とを含み得、それらの各々が、頭用衣類部分１２０を定位置または場所に維持するように、拘束手段、ストラップ、または接続要素として作用し得る。顎下用衣類部分１２５は、右頬用衣類部分１２２と左頬用衣類部分１２４とを接続するように構成された、１つまたは複数の顎下接続要素を含み得る。１つまたは複数の顎下接続要素は、頭用衣類部分１２０を身体の頭に着用させる（たとえば、頭用衣類部分１２０を頭の定位置に締め付ける）際に使用するために構成される場合もある。換言すると、１つまたは複数の顎下接続要素は、頭用衣類部分１２０が、頭用衣類部分１２０を頭に着用させる補助をするように頭に配置された際に、右頬用衣類部分１２２及び左頬用衣類部分１２４を互いに近付くように引っ張るために使用され得る。
【００３９】
１つまたは複数の鼻、または鼻骨用の接続要素、または部分１３０は、頭の鼻骨のブリッジに近接して配置可能であり、また、右頬用衣類部分１２２と左頬用衣類部分１２４とを接続して、たとえば、頭用衣類部分１２０と、右頬用衣類部分１２２及び左頬用衣類部分１２４を、頭及び頬の表面に近接して維持するように、構成される場合がある。たとえば、１つまたは複数の鼻骨用の接続要素１３０は、頭の鼻骨のブリッジの表面に隣接して配置されるように成形された剛性部分を含み得る（たとえば、この剛性部分は、１つまたは複数の可撓性部分により、右頬用衣類部分１２２と左頬用衣類部分１２４とに接続され得る）。
【００４０】
前額部ストラップ１３７は、頭の前額部に近接して配置可能である場合がある。前額部ストラップ１３７は、頭用衣類部分１２０を頭に着用させる際に使用するために構成され得る、１つまたは複数の前額部接続要素を含み得る。換言すると、１つまたは複数の前額部接続要素は、頭用衣類部分１２０の一部分を、頭用衣類部分１２０の別の部分に近付くように引っ張って、頭用衣類部分１２０を身体の頭に配置（たとえば、固定）する場合がある。１つまたは複数の実施形態では、頭用衣類部分１２０は、頭頂部に近接して配置され、頭用衣類部分１２０の頭への着用を補助するように構成された、１つまたは複数のストラップを含み得る。たとえば、前額部ストラップ１３７は、頭の前額部に近接して配置され得、また、頭用衣類部分１２０を頭に着用させることを補助する場合がある。図１に示すように、頭用衣類部分１２０は、頭頂部に近接し、たとえば前額部ストラップ１３７と後頭部用衣類部分１２８との間の、頭用開領域１３５を規定している。
【００４１】
任意の数のストラップまたは接続要素が、頭用衣類の種々の部分を接続するために使用され得、それにより、その圧力適用領域が、頭の所望の領域に隣接して適切に配置され、また、圧力が動的または静的に適用される際に、定位置に維持されるようになっていることを理解されたい。さらに、１つまたは複数の部分が、互いに、及び／または、衣類の残りの部分と、一体であるか分かれている場合があることを理解されたい。
【００４２】
たとえば図５に示すように、首用衣類部分１１０は、身体１０の首部上に着用されるように構成され得る。１つまたは複数の実施形態では、首用衣類部分１１０は、首部の後方から首部の前方に、首部の両側周りに配置されるように構成されるものとして記載され得る。首用衣類部分１１０は、首の一部分に圧力を適用するように構成可能であるか制御可能である場合がある、Ｂ１、Ｂ５、またはＢ１／Ｂ５とラベルが付された圧力適用領域１１１（たとえば、１つまたは複数の首用圧力適用領域）を含み得る。本明細書にさらに記載するように、胴用衣類部分１４０の１つまたは複数の圧力適用領域も、Ｂ１及びＢ５とラベルが付され、このことは、少なくともいくつかの実施形態では、首用衣類部分１１０の圧力適用領域１１１、Ｂ１、Ｂ５が、胴用衣類部分１４０の、対応してラベルが付された圧力適用領域に、操作可能に結合（たとえば、流体的に結合）される（たとえば、流動性伝達のための配管によって結合される）ことを意味している。換言すると、同じラベルが付された、異なる衣類部分か同じ衣類部分の圧力適用領域は、そのような圧力適用領域が、同時に膨らませるかしぼませ、ほぼ同じ圧力を共有するなどするように、操作可能に結合され得る。
【００４３】
２つの異なる首用衣類部分１１０が、図５Ｂの首用衣類部分１１０の平面図に示されている。上、または第１の首用衣類部分１１０は、２つの別々の圧力適用領域１１１を含んでおり、下、または第２の首用衣類部分１１０は、単一の圧力適用領域１１１を含んでいる。首用衣類部分１１０は、右首用衣類部分１１２及び左首用衣類部分１１４を含むものとして記載され得る。右首用衣類部分１１２は、首部の右の部分または側部の近位に配置可能である場合があり、左首用衣類部分１１４は、首部の左の部分または側部の近位に配置可能である場合がある。１つまたは複数の実施形態では、右首用衣類部分１１２は、首部の後方から首部の前方に、首部の右側に配置可能である（たとえば、周りに巻かれる）ものとして記載され得、左首用衣類部分１１４は、首部の後方から首部の前方に、首部の左側に配置可能である（たとえば、周りに巻かれる）ものとして記載され得る。
【００４４】
上、または第１の首用衣類部分１１０などの、１つまたは複数の実施形態では、右首用衣類部分１１２は、左首用衣類部分１１４から分離されている（たとえば、一部分が他の部分の圧力適用領域から分離された圧力適用領域１１１を含み得る）。下、または第２の首用衣類部分１１０などの、他の実施形態では、右首用衣類部分１１２と左首用衣類部分１１４とは、「一片」であるものとして記載され得る（たとえば、同じ圧力適用領域１１１を含む）。さらに、右首用衣類部分１１２と左首用衣類部分１１４との各々は、首の右側と左側とにそれぞれ圧力を適用するように構成可能であるか制御可能である場合がある。たとえば、右首用衣類部分１１２と左首用衣類部分１１４との圧力適用領域は、右首用衣類部分１１２と左首用衣類部分１１４との各々の間で交互に、または同時に、圧力を適用するように、制御可能であるか構成可能である場合がある。第１または上の実施形態では、第１の首用衣類部分及び第２の首用衣類部分の１つまたは複数の首用圧力適用領域１１１は、ディバイダ１１３によって分離されている場合がある。換言すると、ディバイダ１１３は、右首用衣類部分１１２の１つまたは複数の首用圧力適用領域１１１によって適用される圧力を、左首用衣類部分１１４の１つまたは複数の首用圧力適用領域１１１から分離している。
【００４５】
１つまたは複数の実施形態では、１つまたは複数の首用圧力適用領域１１１の少なくとも一部分は、弧状の形状を規定するものとして記載され得る。さらに、１つまたは複数の首用圧力適用領域１１１は、首用衣類部分１１０が首に配置された際に、（たとえば、図１に示すコントローラ１０２を使用して）首の一部分に圧力を適用するように制御可能である場合がある。
【００４６】
１つまたは複数の実施形態では、１つまたは複数の首用圧力適用領域１１１の各々は、首用圧力適用領域１１１が、首の一部分に圧力を適用するように制御され得るように構成される場合がある。たとえば、１つまたは複数の首用圧力適用領域１１１は、流体チャンバまたはセル、空気圧式圧力適用領域、各領域に圧力を適用する作動可能要素、液圧式圧力適用領域などを含み得る。具体的には、１つまたは複数の首用圧力適用領域１１１は、流体を受領するように構成された１つまたは複数のチャンバを含み得る。
【００４７】
たとえば、１つまたは複数の実施形態では、１つまたは複数の首用圧力適用領域１１１が、１つまたは複数のチャンバを使用して、このチャンバに提供される流体、たとえば、液体の流れ、空気の流れなどの制御（たとえば、センサ・フィードバック・システムを使用したコントローラ１０２の制御下で、図１に示すポンプ１０３を使用するなど）を通して、頭の一部分に圧力を適用するように構成され得る。たとえば、首用衣類部分１１０は、１つまたは複数の首用衣類ポート１１９を含み得、この首用衣類ポートを通して、流体が１つまたは複数のチャンバに提供され得る。１つまたは複数の実施形態では、首用衣類部分１１０は、右首用衣類部分１１２と左首用衣類部分１１４との各々に１つずつ、２つの首用衣類ポート１１９を含み得る（たとえば、首の右側と左側との間で交互に圧力を適用する際に使用するためなど）。
【００４８】
さらに、１つまたは複数の実施形態では、首用圧力適用領域１１１は、首の一部に圧力を適用するように構成された、１つまたは複数の首用作動可能要素（たとえば、流体以外の受領領域）を含み得る（たとえば、電気信号が、衣類内の電気的に作動可能なファイバなどの、衣類内の要素を作動させるために使用され得、それにより、そのようなファイバを含む区画が身体の一部分に圧力を適用する）。１つまたは複数の実施形態では、１つまたは複数の首用圧力適用領域１１１は、流体を受領するように構成された１つまたは複数のチャンバと、１つまたは複数の首用作動可能要素との両方を含み得る。
【００４９】
任意の数の圧力適用領域１１１が、首用衣類部分１１０に構成され得、それにより、それら領域が、たとえば図２から図４を参照して記載したようにリンパ液を移動するように制御され得るようになっている。たとえば、図５Ｂに示すように、１つまたは２つの圧力適用領域１１１が実施され得る。しかし、そのような圧力適用領域１１１は、首用衣類部分１１０の巻付け可能な長さに沿い、所望のリンパ液の移動をさせるように制御可能である、任意の数の異なる別個のチャンバを含み得る（たとえば、長さに沿う複数のチャンバ、幅に沿う並行なチャンバなど）。
【００５０】
胴用衣類部分１４０は、身体１０の胴の後方から胴の前方に、胴の両側周りに配置されるように構成されるものとして記載され得る。胴用衣類部分１４０は、胴の１つまたは複数の部分に圧力を適用するように構成可能であるか制御可能である圧力適用領域（たとえば、１つまたは複数の胴用圧力適用領域）を含み得る。１つまたは複数の実施形態では、胴用衣類部分１４０は、首用衣類部分１１０及び／または頭用衣類部分１２０に結合されている場合がある。たとえば、図５Ａ及び図５Ｂの平面図に示すように、首用衣類部分１１０の各端部は、胴用衣類部分１４０の首の領域の「Ａ」と「Ｂ」とのラベルに対応する、「Ａ」と「Ｂ」とのラベルが付されている。それとして、首用衣類部分１１０は、胴用衣類部分１４０に、ラベル「Ａ」からラベル「Ｂ」へと結合されている場合がある。さらに、結合されると、首用衣類部分１１０が、胴用衣類部分１４０の「襟」に類似するか、「襟」と呼ばれる場合があることが記載され得る。さらにまた、本明細書にさらに記載するように、胴用衣類部分１４０の１つまたは複数の圧力適用領域は、首用衣類部分１１０の１つまたは複数の圧力適用領域に対応している場合がある（たとえば、胴用衣類部分の１つまたは複数の圧力適用領域が、首用衣類部分の１つまたは複数の圧力適用領域と同じ量の圧力を同時に適用する場合がある）。
【００５１】
さらに、１つまたは複数の実施形態では、首用衣類部分１１０は、頭用衣類部分１２０の少なくとも一部分と、胴用衣類部分１４０の少なくとも一部分との間に結合され得る。さらに他の実施形態では、胴用衣類部分１４０は、頭用衣類部分１２０または首用衣類部分１１０に結合されていない場合がある。
【００５２】
胴用衣類部分１４０は、後部胴用衣類部分１５０、右側胴用衣類部分１５１、及び左側胴用衣類部分１５２を含んでいる場合がある。後部胴用衣類部分１５０は、身体の胴の後方に近接して配置可能である場合があり、右側胴用衣類部分１５１は、後部胴用衣類部分１５０から延びるとともに、胴の前方に配置可能である場合があり、左側胴用衣類部分１５２は、後部胴用衣類部分１５０から延びるとともに、胴の前方に配置可能である場合がある。１つまたは複数の実施形態では、右側胴用衣類部分１５１は、右腕が衣類１０１から外に延び得るように、身体の右腕の近位に右腕用開口１５３を規定する場合があり、左側胴用衣類部分１５２は、左腕が衣類１０１から外に延び得るように、身体の左腕の近位に左腕用開口１５４を規定する場合がある。
【００５３】
右側胴用衣類部分１５１と左側胴用衣類部分１５２とは、身体の胴に胴用衣類部分１４０を着せた後に、互いに結合して、胴用衣類部分１４０を胴に取り付ける（たとえば、固定する）場合がある。右側胴用衣類部分１５１は、左側胴用衣類部分１５２に、任意の適切な方式で結合され得る。たとえば、右側胴用衣類部分１５１及び／または左側胴用衣類部分１５２は、たとえば、右側胴用衣類部分１５１のある領域を、左側胴用衣類部分１５２の一部分に締結するか結合するために、締結装置を含み得る。図示のように、右側胴用衣類部分１５１が左側胴用衣類部分１５２にジッパ１５８を使用して結合されているが、たとえばホックとループの締結具、引き締め紐、ボタンなど、任意の締結装置が使用され得る。さらに、右側胴用衣類部分１５１は、左側胴用衣類部分１５２に、図７及び図９に関して本明細書にさらに記載するように、前方側と後方側とで結合され得る。
【００５４】
追加的に、胴用衣類部分１４０は、胴用衣類部分１４０を身体１０の胴周りにさらに結合するか固定するように構成され得る、左側巻付け部分１０７及び右側巻付け部分１０８をさらに含み得る。より具体的には、左側巻付け部分１０７及び右側巻付け部分１０８が、身体１０の胴周りに、胴用衣類部分１４０を「締め付ける」ように構成され得ることが記載され得る。このことは、図１０から図１２に関して本明細書にさらに記載され得る。
【００５５】
圧縮衣類システム１００は、衣類１０１の圧力適用領域の各々によって身体の部分に適用される圧力を制御するように構成された、コントローラ１０２または制御装置をも含み得る。たとえば、コントローラ１０２は、圧力適用領域の各々によって身体の部分に適用される圧力を、互いに独立して、または同時に、制御する場合がある。さらに、たとえば、圧力適用領域は、グループで、または組み合わせて制御され得る。１つまたは複数の実施形態では、コントローラ１０２は、たとえば、リンパ浮腫の治療を行うのに適切である場合がある、様々な異なるシークエンスで圧力適用領域を制御する（たとえば、所定の方式で圧力を適用する）ように構成されている場合がある。
【００５６】
さらに、コントローラ１０２は、衣類１０１に関連付けられた１つまたは複数の圧力センサ（たとえば、圧力適用領域の近位で衣類１０１に設けられたセンサ）によって測定された１つまたは複数の圧力に基づき、圧力を制御する場合がある。本明細書に記載の特徴（たとえば、センサ）で変更され得る１つまたは複数の圧縮衣類は、「Ｌｙｍｐｈｅｄｅｍａ  Ｔｒｅａｔｍｅｎｔ  Ｓｙｓｔｅｍ」と名称が付された米国特許第６，８６０，８６２号、「Ｌｙｍｐｈｅｄｅｍａ  Ｔｒｅａｔｍｅｎｔ  Ｓｙｓｔｅｍ」と名称が付された米国特許第６，９６６，８８４号、「Ｌｙｍｐｈｅｄｅｍａ  ｔｒｅａｔｍｅｎｔ  ｓｙｓｔｅｍ」と名称が付された米国特許第６，１７９，７９６号、及び、「Ｌｙｍｐｈｅｄｅｍａ  ｔｒｅａｔｍｅｎｔ  ｓｙｓｔｅｍ」と名称が付された米国特許第６，６４５，１６５号に見られる１つまたは複数の特徴に類似であるとともに、これらを含んでいる場合がある。これら文献は、参照することにより本明細書に組み込まれる。
【００５７】
１つまたは複数の実施形態では、制御装置またはコントローラ１０２（たとえば、１つまたは複数の方法またはプロセスを実施する１つまたは複数のプログラムまたはルーチンを採用し、１つまたは複数のタイプのメモリで実施される、１つまたは複数のプロセッサ）は、システム、及び／または、その１つもしくは複数の要素を制御するように構成され得る（たとえば、１つまたは複数の圧力適用領域により、圧縮治療を施すなど）。１つまたは複数の実施形態では、制御装置は、有線及び／または無線技術を使用して圧縮システムを制御するように構成され得る。
【００５８】
システムに属するものか、成分を成す様々な構成要素を含み、本開示に記載の方法及び／またはロジック及び／または構成は、少なくとも部分的に、ハードウェア、ソフトウェア、ファームウェア、またはそれらの任意の組合せで実施され得る。たとえば、本技術の様々な態様は、１つまたは複数のマイクロプロセッサ、マイクロコントローラ、ＤＳＰ、ＡＳＩＣ、ＦＰＧＡ、もしくは任意の他の均等の、組み込まれているか別個の論理回路、及び、そのような構成要素の任意の組合せ、または他のデバイスを含む、１つまたは複数のプロセッサ内で実施され得る。「プロセッサ」または「ｐｒｏｃｅｓｓｉｎｇ  ｃｉｒｃｕｉｔｒｙ（処理回路）」との用語は、概して、単独か、他の論理回路、または任意の他の均等の回路と組み合わせて、前述の論理回路の任意のものに言及し得る。
【００５９】
そのようなハードウェア、ソフトウェア、及び／またはファームウェアは、本開示に記載の様々な操作及び機能をサポートするように、同じデバイス内か別々のデバイス内（たとえば、システム内、システム外、またはシステム内とシステム外との両方の組合せ）で実施され得る。さらに、記載の構成要素の任意のものは、別個であるが相互使用可能な論理デバイスとして、ともに、または別々に実施され得る。異なる特徴の記載は、異なる機能的態様を強調することを意図するものであり、そのような特徴が別々のハードウェアまたはソフトウェアの構成要素によって実現されなければならないことを必ずしも暗示するものではない。むしろ、機能は、別々のハードウェアまたはソフトウェアの構成要素によって実施されるか、共通であるか別々のハードウェアまたはソフトウェアの構成要素内に組み込まれている場合がある。
【００６０】
ソフトウェアで実施されている場合、本開示に記載のシステム及び方法の結果である機能は、ＲＡＭ、ＲＯＭ、ＮＶＲＡＭ、ＥＥＰＲＯＭ、フラッシュメモリ、磁気データ記録媒体、光学データ記録媒体などの、コンピュータ読取り可能媒体上の指示及び／または論理として埋め込まれる場合がある。指示及び／または論理は、本開示に記載の機能の１つまたは複数の態様をサポートするように、１つまたは複数のプロセッサによって実行され得る。
【００６１】
さらに、圧縮衣類システム１００は、圧力適用領域の各々の、１つまたは複数のチャンバへ／１つまたは複数のチャンバ（たとえば、図２３Ａに示す１つまたは複数のチャンバ８０６）から、流体、たとえば、チャンバ内の液体または気体のような流体を提供し、それにより、圧縮衣類１０１が１つまたは複数の流体で充填されたチャンバを含む場合に、圧縮治療を施すように、コントローラ１０２によって制御され得るポンプ１０３を含む場合がある。たとえば、ポンプ１０３は、複数の圧力適用領域に対応する複数のチャンバの１つまたは複数に、複数のラインまたは配管１０５によって接続され得、それにより、それらチャンバ内に流体の流れを提供するか、チャンバから流体を除去するようになっている。
【００６２】
さらに、１つまたは複数の実施形態では、図１に示すように、コントローラ１０２は、圧縮衣類システムの１つまたは複数の構成要素に、破線１０４によって概略的に示されるように、１つまたは複数の電気ラインを介して、及び／または、無線で、接続され得る。たとえば、コントローラ１０２は、物理的電気接続及び／または無線の使用を伴い、圧力適用領域（たとえば、電気的に作動可能である、身体に圧力を適用するように構成された衣類の圧力適用領域など）を通信及び制御するように接続され得る。
【００６３】
コントローラ１０２の制御下にある衣類１０１の制御可能な圧力適用領域により、システム１００が、衣類１０１を着ている個人（たとえば、患者）に圧縮治療を施すことを可能にし、それにより、リンパ液が、所望の方向、たとえば、図２から図４に示す方向４０などに、身体１０を通して流れるようになっている。換言すると、様々な異なるシークエンスで圧力適用領域を制御すること（たとえば、所定の方式で圧力を適用すること）により、たとえば、リンパ液は概して、身体１０の頭１４から、身体１０の首部１１に向かって流れる場合がある。たとえば、リンパ液は、頭１４の前部３０から頭１４の後部３２に向かって、及び、首１１に向かって下方に流れるように制御される場合がある。具体的には、たとえば、リンパ液は、前額部１５、鼻骨のブリッジ１９、及び顎１８の下から、右頬１７に向かい、首部１１（たとえば、首部の右側１２）に向かって下方に、及び、胴２０の後部２５に向かって流れ得る。このリンパ液の方向４０は、頭１４から過度なリンパ液を移動すること、及び、最終的には、そのようなリンパ液を胴２０（たとえば、胴体、肩、胸部、背中、腰部など）に向かって移動させることにより、個人に開放感を提供し得る。
【００６４】
身体１０の頭１４及び首部１１に位置する様々な膨れが、図３に示されている。たとえば、おとがい下リンパ節５２が、頭１４の顎１８の下に位置しており、耳下腺リンパ節５０が、右頬１７及び左頬１６の近位に位置している（左頬１６の耳下腺リンパ節は、図３には示されていない）。リンパ液の蓄積は、耳下腺リンパ節５０及びおとがい下リンパ節５２の近位で生じ得、また、（たとえば、少なくとも頬の近位かつ顎の下の圧力適用領域を、所定の方式で制御することにより）身体１０に着せられた圧縮衣類による圧縮治療の間に、方向矢印４０によって示されるように、頭１４の後部３２に向かって押される場合がある。（たとえば、少なくとも頭の側部及び頭の後部の近位の圧力適用領域を制御することによる）連続的な圧縮治療により、リンパ液は次いで、顎下線リンパ節５４、ならびに、首１１の近位に位置する表面上及び深部の頸部リンパ節５６に向かって移動する。圧縮治療はこのため、（たとえば、所定の方式で、少なくとも首部の近位の圧力適用領域を制御することにより）リンパ液を、首１１の基部において、右肩２４と左肩２３とのそれぞれの近くに位置している、右の鎖骨下及び鎖骨上のリンパ節５８と、左の鎖骨下及び鎖骨上のリンパ節６０とに向かい、胴２０に向かって下方に移動させるように構成されている。
【００６５】
頭１４の後部３２及び胴２０に位置している様々な膨れが、図４に示されている。（たとえば、所定の方式で、頭用衣類１２０及び首用衣類１１０の圧力適用領域を制御することにより）圧縮衣類を使用する圧縮治療の間、リンパ液は、身体１０の後部３２に沿って下方に、頭１４から胴２０に向かって移動し得る。たとえば、リンパ液は、頭１４の頂部から、首部１１の右側１２の近位に位置する右側耳介後リンパ節６６及び右側後頭リンパ節７０に向かって、かつ、首部１１の左側１３の近位に位置する左側耳介後リンパ節６８及び左側後頭リンパ節７２に向かって移動し得る。（たとえば、所定の方式で、衣類１０１の圧力適用領域を制御することによる）圧縮治療は、このため、リンパ液を、頭１４からさらに下方に、左肩２３及び右肩２４を越えて、胴２０に向かって移動し得る。具体的には、リンパ液は、右側腕下領域２１の近位に位置する右側腋下節６２、及び、左腕下領域２２の近位に位置する左側腋下節６４に向かって移動し得る。
【００６６】
Ｄ８、Ｄ７、Ｄ６、及びＤ５とラベルが付された、１つまたは複数の頭用圧力適用領域１２１を含む例示的頭用衣類部分１２０の平面図が、図６に示されている。１つまたは複数の実施形態では、１つまたは複数の頭用圧力適用領域１２１の少なくとも一部分は、弧状の形状を規定し得ることが記載され得る。１つまたは複数の頭用圧力適用領域１２１は、頭用衣類部分１２０が頭に配置された際に、（たとえば、図１に示すようにコントローラ１０２を使用して）頭の一部分に圧力を適用するように制御可能である場合がある。さらに、１つまたは複数の頭用圧力適用領域１２１は、頭の様々な異なる位置に圧力を適用するように、頭用衣類部分１２０内の様々な位置に配置され得る。たとえば、本明細書に記載のように、頭用衣類部分１２０は、頭の右側の近位に配置可能である右側頭用衣類部分１３４と、頭の左側の近位に配置可能である左側頭用衣類部分１３６とを含む場合がある。右側頭用衣類部分１３４と左側頭用衣類部分１３６とに関連付けられた、１つまたは複数の頭用圧力適用領域１２１は、頭の右側と左側とにそれぞれ圧力を適用するように制御可能である場合がある。１つまたは複数の実施形態では、圧力適用領域１２１は、破線１９１に沿って２つに分けられる場合があり、それにより、たとえば、圧力適用領域Ｄ８、Ｄ７、Ｄ６、及びＤ５の各々が、左側圧力適用領域及び右側圧力適用領域を含み得るようになっている（たとえば、圧力適用領域は、Ｄ８、Ｄ７、Ｄ６、及びＤ５の１つの左側圧力適用領域と右側圧力適用領域が、同じ量の圧力を同時に適用するように、操作可能に結合され得る）。
【００６７】
１つまたは複数の実施形態では、１つまたは複数の頭用圧力適用領域１２１の各々は、領域１２１が、頭の一部分に圧力を適用するように制御され得るように、任意の適切な方式で構成される場合がある。たとえば、１つまたは複数の頭用圧力適用領域１２１は、流体チャンバまたはセル、空気圧式圧力適用領域、各領域に圧力を適用する作動可能要素、液圧式圧力適用領域などを含み得る。具体的には、１つまたは複数の頭用圧力適用領域１２１、及び、その中に示される他の衣類部分の他の圧力適用領域は、流体（たとえば、空気、液体など）を受領するように構成された１つまたは複数のチャンバを含んでいる。
【００６８】
１つまたは複数の実施形態では、１つまたは複数の頭用圧力適用領域１２１が、１つまたは複数のチャンバを使用して、このチャンバに提供される流体、たとえば、液体の流れ、空気の流れなどの制御を通して、頭の一部に圧力を適用するように構成され得る。たとえば、頭用衣類部分１２０は、１つまたは複数の頭用衣類ポート１３９を含み得、この頭用衣類ポートを通して、流体が１つまたは複数のチャンバに提供され得る（たとえば、センサ・フィードバック・システムを使用して、コントローラ１０２の制御下で、図１に示すポンプ１０３を使用するなど）。さらに、１つまたは複数の実施形態では、１つまたは複数の頭用圧力適用領域１２１は、頭の一部分に圧力を適用するように構成された、１つまたは複数の頭用作動可能要素（たとえば、流体以外の受領領域）を含み得る（たとえば、電気信号が、衣類内の電気的に作動可能なファイバなどの、衣類内の要素を作動させるために使用され得、それにより、そのようなファイバを含む領域が身体の一部分に圧力を適用する）。１つまたは複数の実施形態では、１つまたは複数の頭用圧力適用領域１２１は、流体を受領するように構成された１つまたは複数のチャンバと、１つまたは複数の頭用作動可能要素との両方を含み得、それらの両方が、頭の一部分に圧力を適用するように構成され得る。
【００６９】
さらに、本明細書に記載のように、頭用衣類部分１２０は、右頬用衣類部分１２２及び左頬用衣類部分１２４を含み得、それらの各々が、１つまたは複数の頬用圧力適用領域を含み得る（たとえば、衣類部分の各々が、他の衣類部分と共有した圧力適用領域１２１の一部分を含み得、たとえば、同じ圧力適用領域１２１が、右頬及び左頬と関連付けられた身体の位置において、及び、後部衣類部分においてさえ、圧縮を適用するように使用され得る）。１つまたは複数の頬用圧力適用領域の各々は、頬の一部分に圧力を適用して、その部分からのリンパ液の移動を補助するように、制御可能である場合がある。右頬用衣類部分１２２と左頬用衣類部分１２４との各々は、右側頭用衣類部分１３４と左側頭用衣類部分１３６との中でそれぞれ延び、右頬の衣類の縁部と左頬の衣類の縁部とに沿って終端している（たとえば、頭の鼻骨のブリッジの近位に位置している、そのような縁部の部分であり、この部分は、１つまたは複数の鼻部分１３０によってともに結合している場合がある）。
【００７０】
同様に、本明細書に記載するように、頭用衣類部分１２０は、顎下用衣類部分を含み得、この部分が、顎の下の部分（たとえば、「ゆらゆらした」エリア）に圧力を適用するように構成可能である、右側顎下部分１２５及び左側顎下部分１０９を含んでいる。たとえば、顎下用衣類部分１２５は、１つまたは複数の顎下用圧力適用領域１２６を含み得る。１つまたは複数の顎下用圧力適用領域１２６の各々は、顎下の一部分に圧力を適用して、その部分からのリンパ液の移動を補助するように、制御可能である場合がある。
【００７１】
やはり、本明細書に記載のように、頭用衣類部分１２０は、後頭部用衣類部分１２８を含み得る。後頭部用衣類部分１２８は、１つまたは複数の後頭部用圧力適用領域１２９を含み得る。１つまたは複数の後頭部用圧力適用領域１２９の各々は、後頭部の一部分に圧力を適用して、その部分からリンパ液を移動（たとえば、胴へ向かって下方へ）するように、制御可能である場合がある。
【００７２】
任意の数の圧力適用領域１２１が、頭用衣類部分１２０に構成され得、それにより、それら領域が、たとえば図２から図４を参照して記載したように、リンパ液を移動するように制御され得るようになっている。たとえば、図６に示すように、４つの頭用圧力適用領域１２１が実施される。しかし、たとえば２つの頭用圧力適用領域１２１、３つの頭用圧力適用領域１２１、５つの頭用圧力適用領域１２１、６つの頭用圧力適用領域１２１など、任意の数の頭用圧力適用領域１２１が実施され得る。４つの圧力適用領域１２１の各々は、ユーザの頭の周りに配置可能な頭用衣類部分１２０の長さ全体に沿って延びている（たとえば、頭の右前方側から頭の後方の周りに、頭の前方左側に向かう）。たとえば、頭用圧力適用領域１２１の各々は、顎下用衣類部分１２５、右頬用衣類部分１２２及び左頬用衣類部分１２４、ならびに後頭部用衣類部分１２８内に延びている（たとえば、このことは、頭の下方向き及び後方向きの圧力の適用に有益である場合がある）。換言すると、顎下用衣類部分１２５、右頬用衣類部分１２２及び左頬用衣類部分１２４、ならびに後頭部用衣類部分１２８は、互いに一体である場合があり、それにより、頭用圧力適用領域１２１が、１つまたは複数の特定の部分に渡り得るようになっている。たとえば、外側頭圧力適用領域１２１での圧力の適用（たとえば、縁部１６１、１６２の隣）と、それに次ぐ、より内側に置かれた圧力適用領域による圧力の適用が、所望のリンパ液の移動を生じ得る。
【００７３】
１つまたは複数の実施形態では、頭用圧力適用領域１２１は、圧力が、右頬及び左頬の前方（たとえば、顔、鼻などの縁部の近くで、頭の前側、または前方で）から頭及び首の後部または後ろ側に向かって、連続して適用され得るように、配置され得る。たとえば、圧力は、頭の前側における右頬用衣類部分１２２及び左頬用衣類部分１２４の近位の領域、次いで、右頬用衣類部分１２２及び左頬用衣類部分１２４における頬の中間の近位、そして次に、右頬用衣類部分１２２及び左頬用衣類部分１２４の頭の後部により近い頬の部分の近位に適用され得る。１つまたは複数の実施形態では、頭の前部から頭の後部に向かって、右頬用衣類部分１２２及び左頬用衣類部分１２４において圧力が適用されることから、圧力は、後頭部用衣類部分１２８においても、頭頂部から首に向かって適用され得る。１つまたは複数の実施形態では、このことは、右頬用衣類部分１２２と左頬用衣類部分１２４との間に、後頭部用衣類部分１２８にわたって（たとえば、衣類の長さに沿って）延びる、（たとえば、図６に示すような）連続した４つの頭用圧力適用領域１２１に起因して生じ得る（たとえば、そのような圧力適用領域の各々は、別々の流体導管によって供給される別々のチャンバである場合がある）。本明細書に記載のように、衣類部分が、１つまたは複数の圧力適用領域を含むものとして記載されている場合、そのような１つまたは複数の圧力適用領域は、別々の圧力適用領域である場合があるか、１つまたは複数の他の衣類部分と共有された圧力適用領域である場合がある（たとえば、胴用衣類部分と後頭部用衣類部分とは、同じ圧力適用領域を使用して、それらに関連付けられた身体の部分に圧縮を適用する場合がある）。
【００７４】
しかし、そのような頭用圧力適用領域１２１は、頭用衣類部分１２０の巻付け可能な長さに沿い、そのような所望のリンパ液の移動をさせるように制御可能である、任意の数の異なる別個のチャンバを含み得る。たとえば、頭用圧力適用領域１２１は、右頬用衣類部分１２２及び左頬用衣類部分１２４（たとえば、破線１９１に沿う）と、後頭部用衣類部分１２８との間で分けることができる場合がある。換言すると、頭用圧力適用領域１２１は、右頬及び左頬から（たとえば、頭の前方の近位から）、頭の後ろに向かって、及び／または、後頭部の頂部から、首に向かって（たとえば、頭の後ろにおいて頬から首に向かってリンパ液を移動する）、圧力を適用することを可能にし得る任意の適切な方法で分離され得る。たとえば、頭用圧力適用領域１２１は、各頭用圧力適用領域１２１が、（たとえば、図２から図４に示すように）リンパ液を所望の方向に移動するように個別に制御可能であり得るように、分けられている場合がある。
【００７５】
図示されていないが、１つまたは複数の実施形態では、頭用衣類部分１２０は、前額部の部分に圧力を適用するように構成可能である前額部用衣類部分をさらに含み得る。前額部用衣類部分は、前額部の一部に圧力を適用するように制御可能である１つまたは複数の前額部用圧力適用領域を含み得る。
【００７６】
Ｂ１、Ｂ２、Ｂ３、Ｂ４、Ｂ５、Ｂ６、Ｂ７、及びＢ８とラベルが付された、１つまたは複数の胴用圧力適用領域１４１を含む例示的胴用衣類部分１４０の平面図が、図５Ａに示されている。図示のように、胴用衣類部分１４０が８つの胴用圧力適用領域１４１を含み得るが、任意の数の胴用圧力適用領域１４１が実施されるか利用され得る。１つまたは複数の実施形態では、１つまたは複数の胴用圧力適用領域１４１の少なくとも一部分が、弧状の形状を規定し得る（たとえば、胴用圧力適用領域１４１の湾曲した部分が、後部から前部に、ユーザの肩を越えて延びている）ことが記載され得る。たとえば、「Ｌｙｍｐｈｅｄｅｍａ  Ｔｒｅａｔｍｅｎｔ  Ｓｙｓｔｅｍ」と名称が付された米国特許第６，８６０，８６２号、「Ｌｙｍｐｈｅｄｅｍａ  Ｔｒｅａｔｍｅｎｔ  Ｓｙｓｔｅｍ」と名称が付された米国特許第６，９６６，８８４号、「Ｌｙｍｐｈｅｄｅｍａ  ｔｒｅａｔｍｅｎｔ  ｓｙｓｔｅｍ」と名称が付された米国特許第６，１７９，７９６号、及び、「Ｌｙｍｐｈｅｄｅｍａ  ｔｒｅａｔｍｅｎｔ  ｓｙｓｔｅｍ」と名称が付された米国特許第６，６４５，１６５号に見られる１つまたは複数の特徴に類似であるか、これらを含んでいる場合がある（たとえば、衣類の部分のいずれかの）弧状形状である。これら文献は、本明細書に、参照することにより組み込まれる。１つまたは複数の胴用圧力適用領域１４１は、胴用衣類部分１４０が胴に配置された際に、（たとえば、図１に示すコントローラ１０２を使用して）胴の１つまたは複数の部分に圧力を適用するように制御されるように構成され得る。
【００７７】
１つまたは複数の胴用圧力適用領域１４１は、胴の様々な異なる位置に圧力を適用するように、胴用衣類部分１４０内の様々な位置に配置され得る。たとえば、胴用衣類部分１４０は、胴の右側の近位に配置可能である右側胴用衣類部分１５１と、胴の左側の近位に配置可能である左側胴用衣類部分１５２と、胴の後部の近位に配置可能である後部胴用衣類部分１５０とを含む場合がある。右側胴用衣類部分１５１と左側胴用衣類部分１５２と後部胴用衣類部分１５０とに関連付けられた、１つまたは複数の胴用圧力適用領域１４１は、胴の右側と左側と後部とにそれぞれ圧力を適用するように制御可能である場合がある。１つまたは複数の実施形態では、右側胴用衣類部分１５１は、胴の右側前面部分及び右側の近位に配置されるものとして記載され得、左側胴用衣類部分１５２は、胴の左側前面部分及び左側の近位に配置可能であるものとして記載され得る。そのような領域に関連付けられた、胴用圧力適用領域１４１は、胴の右側前面部分と左側前面部分と、胴の右側と左側との各々に圧力を適用するように制御可能であるか構成されている場合がある。
【００７８】
１つまたは複数の実施形態では、１つまたは複数の胴用圧力適用領域１４１の各々は、領域１４１が、リンパ液を所望のように移動するために、胴の一部分に圧力を適用するように制御され得るように、任意の適切な方式で構成される場合がある。たとえば、１つまたは複数の胴用圧力適用領域１４１は、流体チャンバまたはセル、空気圧式圧力適用領域、各領域に圧力を適用する作動可能要素、液圧式圧力適用領域などを含み得る。具体的には、１つまたは複数の胴用圧力適用領域１４１は、流体（たとえば、空気）を受領するように構成された１つまたは複数のチャンバを含み得る。
【００７９】
たとえば、１つまたは複数の実施形態では、１つまたは複数の胴用圧力適用領域１４１が、１つまたは複数のチャンバを使用して、このチャンバに提供される流体、たとえば、液体の流れ、空気の流れなどの制御を通して、胴の一部分に圧力を適用するように構成され得る。たとえば、胴用衣類部分１４０は、１つまたは複数の胴用衣類ポート１５９（そのいくつかが、図５Ａにおいてラベルが付されている）を含み得、この胴用衣類ポートを通して、流体が１つまたは複数のチャンバに提供され得る（たとえば、センサ・フィードバック・システムを使用して、コントローラ１０２の制御下で、図１に示すポンプ１０３を使用するなど）。
【００８０】
さらに、１つまたは複数の実施形態では、１つまたは複数の胴用圧力適用領域１４１は、胴の一部分に圧力を適用するように構成された、１つまたは複数の胴用作動可能要素を含み得る（たとえば、電気信号が、衣類内の電気的に作動可能なファイバなどの、衣類内の要素を作動させるために使用され得、それにより、そのようなファイバを含む構成要素が身体の一部分に圧力を適用するようになっている）。１つまたは複数の実施形態では、１つまたは複数の胴用圧力適用領域１４１は、流体を受領するように構成された１つまたは複数のチャンバと、１つまたは複数の胴用作動可能要素との両方を含み得る。
【００８１】
さらに、１つまたは複数の実施形態では、右側胴用衣類部分１５１は、胴の右肩及び胸の近位に配置可能である、右胸用衣類部分１４２と、胴の右の腕下及び右腰の近位に配置可能である右下前部の胴用衣類部分１４４とを含み得る。右胸用衣類部分１４２は、右胸と右肩との一部分に圧力を適用するように制御可能である１つまたは複数の右胸用圧力適用領域を含み得る。右下前部の胴用衣類部分１４４は、胴の下方前側の一部分に圧力を適用するように制御可能である１つまたは複数の圧力適用領域を含み得る。
【００８２】
さらにまた、左側胴用衣類部分１５２は、やはり、胴の左肩及び胸の近位に配置可能である、左胸用衣類部分１４３と、胴の左の腕下及び左腰の近位に配置可能である左下前部の胴用衣類部分１４８とを含み得る。左胸用衣類部分１４３は、左胸と左肩との一部分に圧力を適用するように制御可能である１つまたは複数の左胸用圧力適用領域を含み得る。左下前部の胴用衣類部分１４８は、胴の下方前側の一部分に圧力を適用するように制御可能である１つまたは複数の左腋下用圧力適用領域を含み得る。胴用衣類部分１４０の圧力適用領域１４１の各々は、胴の一部分に圧力を適用して、リンパ液を所望のように（たとえば、首及び肩の領域から胴の下方部分に向かって下方へ）移動させるように、制御可能である場合がある。
【００８３】
任意の数の圧力適用領域１４１が、胴用衣類部分１４０に構成され得、それにより、それら領域が、たとえば図２から図４を参照して記載したようにリンパ液を移動するように制御され得るようになっている。たとえば、図５Ａに示すように、複数の圧力適用領域１４１が、胴用衣類部分１４０に分布される。１つまたは複数の実施形態では、複数の圧力適用領域１４１は、身体１０の上方後部の胴の領域と上方前部の胴の領域に圧力を適用するために配置可能である、上方の胴用圧力適用領域２６１を含み得る。さらに、１つまたは複数の実施形態では、複数の圧力適用領域１４１は、身体１０の下方後部の胴の領域に主に圧力を適用するために配置可能である、下方後部の胴用圧力適用領域２６３を含み得る。
【００８４】
圧力適用領域１４１の１つまたは複数は、左胸用衣類部分１４３または右胸用衣類部分１４２の一方に沿って延び得る。たとえば、圧力適用領域１４１の１つまたは複数は、左胸用衣類部分１４３内に、左下前部の胴用衣類部分１４８から、上方胴用圧力適用領域２６１、下方後部胴用圧力適用領域２６３、及び左側巻付け部分１０７へと延び得る。さらに、たとえば、圧力適用領域１４１の１つまたは複数は、右胸用衣類部分１４２内に、右下前部の胴用衣類部分１４４から、上方胴用圧力適用領域２６１、下方後部胴用圧力適用領域２６３、及び右側巻付け部分１０８へと延び得る。
【００８５】
１つまたは複数の実施形態では（たとえば、図１及び図１０から図１２に示すように）、右側巻付け部分１０８は、右下前部の胴用衣類部分１４４に重なるように構成され得、左側巻付け部分１０７は、左下前部の胴用衣類部分１４８に重なるように構成され得、たとえば、図１０から図１２に関して本明細書にさらに記載するように、右胸用衣類部分１４２が左胸用衣類部分１４３に結合された後に、たとえば、身体１０の周りに胴用衣類部分１４０をさらに締め付けるか固定する。さらに、１つまたは複数の実施形態では、及び／または、胴用衣類のサイズに関する身体のサイズに応じて、右側巻付け部分１０８は、胴の中間線に、左下前部の胴用衣類部分１４８を越えて重なるように構成され得、また、同様に、左側巻付け部分１０７は、右下前部の胴用衣類部分１４４へと、胴の中間線に重なるように構成され得る。
【００８６】
図１に示すように、頭用衣類部分１２０、首用衣類部分１１０、及び胴用衣類部分１４０の各々は、概して個人の身体の軸に関して、対称な方式で構成され得る。換言すると、様々な衣類部分は、軸に関して対称なサブ部分を含んでいる。たとえば、頭用衣類部分１２０は、図１に示すように、軸２０１に関して対称である（たとえば、右頬用衣類部分１２２及び左頬用衣類部分１２４などの１つまたは複数のサブ部分は、軸２０１に関して対称である場合がある）。１つまたは複数の実施形態では、圧力適用領域を含む、頭用衣類部分１２０、首用衣類部分１１０、及び胴用衣類部分１４０の１つまたは複数のサブ部分は、軸２０１に関して対称である場合があり、一方、頭用衣類部分１２０、首用衣類部分１１０、または胴用衣類部分１４０の他の部分は、非対称である場合がある。さらに、１つまたは複数の実施形態では、非対称の衣類が、本開示内で考慮される（たとえば、様々な衣類部分が、衣類をユーザに着せる、または固定することに関するなどの１つまたは複数の様々な機能を達成するために、非対称である場合がある）。
【００８７】
１つまたは複数の実施形態では、頭用衣類部分１２０、首用衣類部分１１０、及び胴用衣類部分１４０の１つまたは複数の圧力適用領域は、互いに関連して使用され得る。たとえば、１つまたは複数の首用圧力適用領域１１１は、１つまたは複数の頭用圧力適用領域１２１が、頭の一部分に圧力を適用するように制御された後に、首の一部分に圧力を適用するように制御可能である場合がある。別の実施例では、１つまたは複数の首用圧力適用領域１１１は、首の一部分に圧力を適用するように制御可能である場合があり、１つまたは複数の頭用圧力適用領域１２１は、頭から首に向かって、及び、首から下方に、リンパ液を移動するように、頭の一部分に圧力を適用するように制御可能である場合がある。さらに別の実施例では、１つまたは複数の顎下用圧力適用領域１２６、１つまたは複数の頬用圧力適用領域１２３、１つまたは複数の後頭部用圧力適用領域１２９、及び１つまたは複数の首用圧力適用領域１１１は、顎下の部分から頬の部分へ、頬の部分から後頭部の部分へ、及び、後頭部の部分から首の部分へ、リンパ液を移動するように構成される、または制御可能である場合がある。
【００８８】
１つまたは複数の実施形態では、コントローラ（たとえば、図１に示すようなコントローラ１０２）は、リンパ液を、少なくとも頭から首、胴へと移動するように、１つまたは複数の頭用圧力適用領域１２１、１つまたは複数の首用圧力適用領域１１１、及び１つまたは複数の胴用圧力適用領域１４１の各々によって適用される圧力を制御するように構成され得る。１つまたは複数の実施形態では、頭用圧力適用領域１２１と胴用圧力適用領域１４１との各々は、少なくとも頭の左側及び右側から後頭部に向かって、及び、後頭部から胴に向かって下方に、リンパ液を移動するように圧力を適用するように制御可能である場合がある。
【００８９】
１つまたは複数の実施形態では、胴用衣類部分１４０は、図５Ａ及び図５Ｂに示すように、ラベル「Ａ」及びラベル「Ｂ」の周りで、首用衣類部分１１０に結合されている場合がある。任意の適切な方式が、胴用衣類部分１４０と首用衣類部分１１０とを結合するために使用され得る。たとえば、そのような衣類部分は、一体の衣類を形成するように、縫い込み、接合、または任意の他の結合技術を使用して結合され得る。１つまたは複数の実施形態では、胴用衣類部分１４０は、首用衣類部分１１０に、たとえば、胴用衣類部分１４０と首用衣類部分１１０との一方または両方から外側に延びるフラップを使用して、取外し可能に結合され得る。換言すると、胴用衣類部分１４０と首用衣類部分１１０とは、たとえば、一方または両方から外側に延びるフラップにおいて、任意の適切な締結具を使用して結合及び結合解除され得る。
【００９０】
１つまたは複数の実施形態では、頭用衣類部分１２０及び胴用衣類部分１４０は、首用衣類部分１１０に結合されている場合がある。たとえば、頭用衣類部分１２０は、首用衣類部分１１０に結合され得、また、任意の適切な方式が、胴用衣類部分１４０または首用衣類部分１１０と、頭用衣類部分１２０とを結合するために使用され得る。たとえば、そのような衣類部分は、一体の衣類を形成するように、縫い込み、接合、または任意の他の結合技術を使用して結合され得る。
【００９１】
さらに、１つまたは複数の実施形態では、頭用衣類部分１２０と首用衣類部分１１０と胴用衣類部分１４０とは、様々な異なる方法で互いに結合されている場合がある。たとえば、胴用衣類部分１４０は、首用衣類部分１１０に結合され得、それにより、胴用衣類部分１４０が、首用衣類部分１１０に対して移動するための可撓性が増大するようになっている。たとえば、首用衣類部分１４０と胴用衣類部分１１０とは、互いに結合され得、それにより、首の後部の近くに、首用衣類部分１４０と胴用衣類部分１１０との間に１つまたは複数の開口が存在するようになっている。１つまたは複数の実施形態では、胴用衣類部分１４０は、頭用衣類部分１２０に結合されている場合がある（たとえば、直接結合される）。たとえば、１つまたは複数の実施形態では、頭用衣類部分１２０と首用衣類部分１１０とは、胴用衣類部分１４０に結合され得る、単一の頭用／首用衣類部分として提供され得る。換言すると、頭用衣類部分と首用衣類部分とを結合することには、そのような衣類部分が単一の一体の衣類部分として形成されていることを含む場合がある。１つまたは複数の実施形態では、胴用衣類部分１４０は、首用衣類部分１１０及び／または頭用衣類部分１２０に、たとえば、胴用衣類部分１４０と頭用衣類部分１２０と首用衣類部分１１０との１つまたは各々から外側に延びるフラップを使用して、取外し可能に結合され得る。たとえば、胴用衣類部分１４０は、首の近位で、胴用衣類部分１４０から延びるフラップを有し得、それにより、フラップが「ポップアップした」襟を示し得るようになっている。したがって、胴用衣類部分１４０は、頭用衣類部分１２０及び／または首用衣類部分１１０に、たとえば、一方または両方から外側に延びるフラップにおいて、任意の適切な締結具を使用して結合及び結合解除され得る。
【００９２】
本明細書に記載の衣類のいずれかを提供する際に使用され得る、１つまたは複数のセル８０１を含む例示的衣類の部分８００の断面が、図２３Ａに示されている。衣類部分８００は、外側、たとえば、衣類部分８００が着用された際にユーザの外に向くように構成された外側表面８０２と、内側、たとえば、衣類部分８００を着用したユーザに向けて面するように構成された、反対側の内側表面８０３とを規定し得る。内側表面８０３は、衣類部分８００が身体に配置された際に、外側表面８０２よりも人体の近くに位置するように構成され得る。図示のように、衣類部分８００は、圧力適用領域を構成し、これらに対応する複数のチャンバを規定する。チャンバ８０１の各々は、チャンバの容量８０５を他のチャンバ８０１の容量から独立させる（たとえば、複数のチャンバになるように）、任意の方法で分割され得る容量８０５を規定する。たとえば、チャンバ８０１の容量８０５は、接合部８１５、たとえば、本明細書にさらに記載するように、衣類部分８００の１つまたは複数の層間の接合部によって分割され得る。チャンバ８０１によって規定されるか、チャンバ８０１の各々内の容量、またはキャビティ８０５は、流体を受領するように構成され得る。流体は、供給源から（たとえば、図１に示すポンプ１０３から）受領されて、衣類部分８００がユーザによって着用される際に、身体の部分に対して衣類の圧力適用領域において圧力を適用し得る。たとえば、流体は、連続的か連続的ではない方式で、チャンバ８０１の容量８０５の各々に向けられ得る。
【００９３】
さらに、本明細書に記載の様々な圧力適用領域の各々は、たとえば、１つまたは複数のチャンバ８０１の１つか、複数のチャンバ８０１を含み得る。１つまたは複数の実施形態では、本明細書に記載の異なる圧力適用領域は、たとえば、１つまたは複数の同じチャンバを含み得るが、たとえば、衣類の異なる位置に配置され得る。
【００９４】
衣類部分８００は、外側表面８０２から内側表面８０３に、１つまたは複数の層を含み得る。たとえば、外側に面する層８０６、または外側表面８０２を規定する層は、「ホックとループ」の締結具を形成する、または規定する、「ループ」表面または材料に結合するために、外側表面８０２上に「ホック」表面を規定するように、１つまたは複数の織物材料を含み得る。本明細書に記載の例示的衣類部分の外側表面は、「ホックとループ」の締結具で使用するための「ホック」表面によって部分的または完全に規定される場合がある。
【００９５】
フォーム層８０７は、外側に面する層８０７に隣接する場合があり、このためポリマー層８０８（たとえば、ポリウレタン、ポリビニルなど）が、チャンバ８０１の容量８０３に面して、フォーム層８０７に隣接して配置され得る。衣類部分８００の内側は、外側に面する層の代わりにフォーム層８０７が、身体の胴に隣接して配置されるように構成された織物層８０９に隣接し得ることを除き、外側と類似している場合がある。
【００９６】
本明細書に記載の衣類のいずれかを提供する際に使用され得る、１つまたは複数の圧縮領域８５３を含む例示的衣類の別の部分８５０の断面が、図２３Ｂに示されている。衣類部分８５０は、外側表面８５１と、反対側の内側表面８５２とを規定し得る。内側表面８５２は、衣類部分８５０が身体に配置された際に、外側表面８５１よりも人体の近くに位置するように構成され得る。１つまたは複数の領域８５３は、分割されている場合がある、または互いに分割されている必要はない場合がある。一実施形態では、たとえば、１つまたは複数の領域８５３は、接合部８５５によって分割されている場合がある。
【００９７】
衣類８５０は、１つまたは複数の層８５４を含み得、この１つまたは複数の層８５４の少なくとも１つが、圧縮層８５７を含んでいる。圧縮層８５７は、圧力を適用するように構成された、様々な適切な構成要素を含んでいる場合がある。たとえば、圧力は、衣類部分８５０を通して身体の一部分に圧力を適用するように構成された、空気または空気圧式システム、液圧式システム、電気機械式システム、作動要素（たとえば、電気信号が、衣類内の電気的に作動可能なファイバなどの、衣類内の要素を作動させるために使用され得、それにより、そのようなファイバを含む区画が身体の一部分に圧力を適用する）、ケーブル／紐引締めシステム、または任意の他のシステムにより、圧縮層を通して適用され得る。
【００９８】
少なくとも１つの実施形態では、圧縮層８５７は、身体の一部分に圧力を適用するように構成された複数の作動要素（たとえば、ニチノールなどの作動可能材料か、任意の他の圧縮デバイス）である場合がある。１つまたは複数の領域８５３の各々の圧縮層８５７は、衣類部分８５０がユーザによって着用される際に、身体の部分に圧力を適用し得る。たとえば、圧力は、１つまたは複数の領域８５３の各々により、１つまたは複数の領域８５３にわたって連続的か継続的方式で適用される場合がある。本明細書に記載の様々な圧力適用領域の各々は、たとえば、１つまたは複数の領域８５３の１つか、１つまたは複数の領域８５３の複数を含み得る。１つまたは複数の実施形態では、本明細書に記載の異なる圧力適用領域は、たとえば、１つまたは複数の同じ領域を含み得るが、たとえば、衣類部分８５０の異なる位置に配置され得る。
【００９９】
図２３Ｂに記載の衣類部分８５０（本明細書に記載の圧縮衣類及びその部分のいずれかに使用され得る）は、やはり、衣類部分８５０によって身体の一部分に適用される圧力を測定するように構成された、１つまたは複数の圧力センサ８６８とも関連付けられ得る。圧力センサ８６８は、衣類部分８５０に沿って様々な位置に配置され得る。たとえば、圧力センサ８６８は、衣類部分８５０の長さに沿って（たとえば、別々に等しい距離、または必要に応じて）配置され得る。圧力センサ８６８は、１つまたは複数の圧力適用領域か、衣類部分８５０の複数の層８５４に隣接して配置され得る。
【０１００】
たとえば、材料の１つの層は、１つまたは複数の圧力適用領域に対応する、及び／または、１つまたは複数のチャンバ８０１、８５３に対応する、圧力検出領域を含む圧力センサ８６８を包含し得る。１つまたは複数の実施形態では、圧力センサ８６８は、身体の一部分に近接し得る衣類部分８００、８５０の側部（たとえば、内側表面８０２、８５２など）に配置され得る。圧力センサ８６８は、たとえば、圧力適用領域の各々、１つまたは複数のチャンバ８０１、８５３の各々、複数のチャンバ用のマニホルドなどにおいて、圧力を検出するために配置され得る。
【０１０１】
圧力センサ装置は、たとえば、圧力適用領域の各々、空気セルまたはチャンバの各々、複数のチャンバ用のマニホルドなどにおいて、複数の様々な方式で、圧力を検出するために実施され得る。圧力センサ装置は、たとえば、各圧力適用領域に１つのセンサ、すべての圧力適用領域に関して単一のセンサなど、様々な異なる方法で圧力を測定するように構成され得る。さらに、コントローラは、測定された圧力に基づき、身体の部分に適用される圧力を制御するように構成され得る。たとえば、圧力検出装置は、「Ｅｌａｓｔｏｍｅｒｉｃ  Ｐａｒｔｉｃｌｅ  Ｈａｖｉｎｇ  Ａｎ  Ｅｌｅｃｔｒｉｃａｌｌｙ  Ｃｏｎｄｕｃｔｉｎｇ  Ｓｕｒｆａｃｅ，Ａ  Ｐｒｅｓｓｕｒｅ  Ｓｅｎｓｏｒ  Ｃｏｍｐｒｉｓｉｎｇ  Ｓａｉｄ  Ｐａｒｔｉｃｌｅｓ，Ａ  Ｍｅｔｈｏｄ  Ｆｏｒ  Ｐｒｏｄｕｃｉｎｇ  Ｓａｉｄ  Ｓｅｎｓｏｒ  Ａｎｄ  Ａ  Ｓｅｎｓｏｒ  Ｓｙｓｔｅｍ  Ｃｏｍｐｒｉｓｉｎｇ  Ｓａｉｄ  Ｓｅｎｓｏｒｓ」と名称が付された、米国特許第９，０２７，４０８号に記載のように、衣類内の圧力センサを使用する形態を取る場合があるか、ポンプまたは制御装置（たとえば、１０２）に、「Ｐｒｅｓｓｕｒｉｚｅｄ  Ｍｅｄｉｃａｌ  Ｄｅｖｉｃｅ」と名称が付された米国特許第７，９４７，００３に記載のものなどの、圧力検出機能（たとえば、ポンプ装置の一部としてチャンバ内の空気の圧力を測定する）が提供され得る。これら文献はすべて、参照することにより、本明細書に組み込まれる。
【０１０２】
胴用衣類部分１４０の着用が、図７から図１３に示されている。胴用衣類部分１４０は、胴用衣類部分１４０を、胴用衣類部分１４０の着用の前に身体１０の胴の周囲、またはバストの周りに適切にフィットするように調整するように構成された、右側後部調節部分１９０及び左側後部調節部分１９２をさらに含み得る。図５Ａに示すように、右側の後部調節部分１９０は、右下前部の胴用衣類部分１４４から延び、左側の後部調節部分１９２は、左下前部の胴用衣類部分１４８から延びている場合がある。右側の後部調節部分１９０は、「巻き付ける」矢印によって示されるように、身体１０の胴の右側後方の周りに巻き付けられるように構成され得、また、左側の後部調節部分１９２に取外し可能に結合され得る。左側の後部調節部分１９２は、やはり、他の「巻き付ける」矢印によって示されるように、身体の胴の左側後部の周りに巻き付けられるように構成されている。右側の後部調節部分１９０の、左側の後部調節部分１９２への結合は、（たとえば、身体１０の胴の周りの胴用衣類部分１４０の心地よさまたは締付けを規定するように）周りに胴用衣類部分１４０がフィットし得る胴の周りのサイズによって規定され得る。右側の後部調節部分１９０と左側の後部調節部分１９２との間の結合を促進するか提供するために、右側の後部調節部分１９０と左側の後部調節部分１９２との各々は、互いに結合されるように構成されたホックとループの締結具を含み得る。さらに、胴用衣類部分１４０が調整されている場合、右側の後部調節部分１９０は、図７の大きい、水平な逆向きの矢印で示すように、左側の後部調節部分１９２に結合されて、胴用衣類部分１４０のサイズを変化させ得る。たとえば、右側の後部調節部分１９０は、より小さく、タイトなフィットのために結合される場合、左側の後部調節部分１９２に近付くように引っ張られ得、一方、右側の後部調節部分１９０は、より大きく、緩いフィットのために結合される場合、左側の後部調節部分１９２からさらに離れて配置され得る。
【０１０３】
さらに、図７に示すように、右側の後部調節部分１９０と左側の後部調節部分１９２とは、着用される場合、後部胴用衣類部分１５０の「内側」に位置するように構成され得る。１つまたは複数の実施形態では、後部胴用衣類部分１５０は、右側の後部調節部分１９０と左側の後部調節部分１９２とに、たとえばホックとループの締結具を通して、取外し可能に結合され得、それにより、後部胴用衣類部分１５０を、身体１０の胴の後部の近位に位置するように固定するようになっている。概して、右側の後部調節部分１９０及び左側の後部調節部分１９２は、後部胴用衣類部分１５０を結合する前に調整及び結合され得、その理由は、たとえば、後部胴用衣類部分１５０の、右側の後部調節部分１９０及び左側の後部調節部分１９２への結合が、左側の後部調節部分１９２に対する右側の後部調節部分１９０の調整を制限するか抑制する場合があるためである。換言すると、後部胴用衣類部分１５０の、右側の後部調節部分１９０及び左側の後部調節部分１９２への結合は、左側の後部調節部分１９２に対し、右側の後部調節部分１９０をさらに固定する、または結合して、たとえば、それらの間の接続を維持し得る。
【０１０４】
胴用衣類部分１４０はこうして、図８に示すように、身体１０の胴上に位置し得る。より具体的には、身体１０の首は、首用アパーチャを通して配置され得、身体１０の腕は、右腕用開口１５３及び左腕用開口１５４を通して配置され得、それにより、胴の後部、または背部が、後部胴用衣類部分１５０、ならびに、右側後部調節部分１９０及び左側後部調節部分１９２の近位にあるか隣接しているようになっている。右胸用衣類部分１４２は、ここでは、図９に示すように、たとえばジッパ１５８を使用して、左胸用衣類部分１４３に結合され得る。
【０１０５】
次に、胴用衣類部分１４０を身体１０の胴の周りにさらに固定する、または締め付けるために、ユーザは、図１０に示す左側巻付け部分１０７の左側ミット開口１７１などのミット開口に手を置く場合があり、次いで、左側巻付け部分１０７を、左下前部の衣類部分１４８にわたって胴の左側前方の周りに、たとえばホックとループの締結具により、左下前部の衣類部分１４８との結合のために、移動させる。左側巻付け部分１０７の移動及び結合により、たとえば滑りばめを提供するために、胴の周りに胴用衣類部分１４０を締め付ける場合がある。同様に、ユーザは、図１１に示す右側巻付け部分１０８の右側ミット開口１７２などのミット開口に手を置く場合があり、次いで、右側巻付け部分１０８を、右下前部の衣類部分１４４にわたって胴の右側前方の周りに、たとえばホックとループの締結具により、右下前部の衣類部分１４４との結合のために、移動させる。右側巻付け部分１０８の移動及び結合により、たとえば滑りばめを提供するために、胴の周りに胴用衣類部分１４０をさらに締め付ける場合がある。１つまたは複数の実施形態では、ミット開口１７１、１７２の各々は、巻付け部分１０７、１０８が、人間のユーザが把持するには不便な位置（たとえば、ユーザの背中の後ろか部分的に後ろ、ユーザの胴回りの下にぶら下がっているなど）に配置されている場合に、たとえば人間の手を受領するための大きい開口を提供するように、人間の手のすべてではない部分の大部分がミット開口１７１、１７２内にフィットし得るような、サイズであるか、サイズが規定され得る。さらに、ミット開口１７１、１７２が、それぞれの巻付け部分１０７、１０８の端部領域の近位に位置する、ミット装置、またはミットの一部であることが記載され得る。さらにまた、ミット装置、またはミットが、巻付け部分１０７、１０８の端部領域を終端させ得ることが記載され得る。換言すると、巻付け部分１０７、１０８の遠位端領域は、ミット開口１７１、１７２を規定するミット、またはミット装置を含み得る。さらに、図８に示すように、巻付け部分１０７、１０８のホックとループの締結具の表面は、巻付け部分１０７、１０８を胴用衣類部分１４０の残りの部分に取り付けるか取り外す際に、たとえばホックとループの締結具の表面が「テント状になること」を防止するように、「スポット接合」または「ボタン接合」１９９を含み得る。
【０１０６】
右側巻付け部分１０８が、図１２に示すように、右下前部の衣類部分１４４に結合された後に、胴用衣類部分１４０は、締付装置４２０（たとえば、紐締めシステム）を使用してさらに締め付けられ得る。たとえば、図示のように、締付装置４２０は、巻付け部分１０７、１０８の各々の一部である場合があり、それにより、締付装置４２０が、巻付け部分１０７、１０８の長さを延長するか短縮し得るようになっている。さらに、締付装置４２０が、胴用衣類部分１４０を身体の胴に配置すること（たとえば、締め付けること）をさらに補助するように構成され得ることが概して記載され得る。
【０１０７】
概して、図１７Ａ及び図１７Ｂに示すように、締付装置４２０は、巻付け部分の第１の部分４４２を、巻付け部分の第２の部分４４４に対して移動して、たとえば、身体の胴の近位に胴用衣類部分１４０を締め付けることの補助をするように、構成されるか操作可能である場合がある。締付装置４２０は、第１の部分４４２と第２の部分４４４との間に配置された（たとえば、通された）、１本または複数の紐４３０を含む場合がある。１つまたは複数の実施形態では、１本または複数の紐４３０は、第１の部分４４２と第２の部分４４４との間に、ガイド部材４３１（このいくつかが、図１７Ａ及び図１７Ｂにおいてラベルが付されている）を使用してガイドされ得る。締付装置４２０は、１つまたは複数の紐４３０に結合され、１本または複数の紐４３０にテンションを適用して、たとえば、身体１０の胴の周りの胴用衣類部分１４０を締め付けるために、巻付け部分の第１の部分４４２と第２の部分４４４との間の距離を短縮するか延長するように構成され得る、締付デバイス４２５をも含み得る。より具体的には、締付デバイス４２５は、第１の部分４４２と第２の部分４４４との間の距離を延長するように、一方向に回転され、第１の部分４４２と第２の部分４４４との間の距離を短縮するように、逆向きに回転され得る。さらに、締付デバイス４２５は、ロックされた位置を規定するか、ロックされた位置になるように構成され得る。このロックされた位置では、締付デバイス４２５は、（たとえば、締付デバイス４２５の拡大図に示すように）回転できない。１つまたは複数の実施形態では、締付デバイス４２５は、締付装置４２０上に、垂直に中心付けられて、たとえば、紐締めの効率、使用の容易さなどを向上させ得る。
【０１０８】
図１２に示すように、締付装置４２０は、左下前部の衣類部分１４４及び右下前部の衣類部分１４８の近位に、左側巻付け部分１０７及び右側巻付け部分１０８の一部として、たとえば、ユーザの手によるアクセスの利便性のために、配置されている。やはり、締付装置４２０は、身体の近位の衣類の締付けまたは調整のさらなる補助を必要とする場合がある衣類に沿って、任意の他の位置に配置され得る。本明細書に記載の締付装置４２０は、「Ｃｏｍｐｒｅｓｓｉｏｎ  Ｇａｒｍｅｎｔ  Ｓｙｓｔｅｍ  ｗｉｔｈ  Ｔｉｇｈｔｅｎｉｎｇ  Ａｐｐａｒａｔｕｓ」と名称が付されたＰＣＴ国際出願番号第ＰＣＴ／ＵＳ２０１５／０３６９５１号に見られる１つまたは複数の特徴に類似である、または、これらを含み得る。この文献は、参照により、本明細書に組み込まれる。
【０１０９】
頭用衣類部分１２０の着用が、図１３から図１６に示されている。頭用衣類部分１２０は、図１３に示すように、頭の周りに巻かれている場合があり、前額部ストラップ１３７が、締め付けられるか固定されている場合がある（たとえば、ホックとループの締結具、バックルなどを使用して結合される）。次に、頭用衣類部分１２０の顎下用衣類部分は、患者の顎または下顎骨の下に固定され得る。より具体的には、右側顎下部分１２５は、図１４に示すように顎または下顎骨の下に移動され得、次いで、左側顎下部分１０９が、図１５に示すように、右側顎下部分１２５にわたり、顎または下顎骨の下に移動し得る。次に、左側顎下部分１０９は、右側顎下部分１２５、及び／または、右側の頭用衣類部分１３４の別の部分に結合されて、頭の顎または下顎骨の周りの顎下部分を固定する場合がある。
【０１１０】
この実施形態では、左側顎下部分１０９及び顎下部分１２５を含む顎下用衣類部分は、ユーザの身体の首と、顎または下顎骨のポイント、または端部との間に位置するように構成され得る。換言すると顎下用衣類部分は、ユーザの顎または下顎骨を過ぎるか、越えるか、そこから前方に延びるようには構成されていない。さらに、顎下用衣類部分は、やはり、首の咽頭隆起（「のどぼとけ」）の近位の身体の気道を妨げないように、及び／または、首用衣類部分１１０と胴用衣類部分１４０との間の開領域１１５を提供するように構成されている場合がある。概して「Ｕ」形状の頭用衣類部分１２０、または、概して「Ｌ」形状の右側頭用衣類部分１３４及び左側頭用衣類部分１３６は、そのような機能性及び有用性を提供し得る（たとえば、首の気道または咽頭隆起を妨げない）。１つまたは複数の実施形態では、顎下用衣類部分は、頭用衣類部分１２０の複数の圧力適用領域１２１すべてを含まない場合がある。換言すると、顎下用衣類部分は、頭用衣類部分１２０の複数の圧力適用領域１２１すべてよりも少ない数を含む場合がある。たとえば、少なくとも１つの実施形態では、顎下用衣類部分は、頭用衣類部分１２０の４つの圧力適用領域の内の２つを含む場合がある。
【０１１１】
頭用衣類部分１２０は、このため、図１６に示すように、鼻部分１３０にさらに締結されるか固定され得る。鼻の部分１３０は、右側頭用衣類部分１３４と左側頭用衣類部分１３６との間に延びるか結合されて、たとえば、右側頭用衣類部分１３４と左側頭用衣類部分１３６との間にサポートを提供し、圧力を適用するように構成するように、頭の右頬と左頬とに近接して右頬用衣類部分１２２と左頬用衣類部分１２４との各々の配置を補助などする場合がある。鼻の部分１３０は、たとえば、図６の平面図に示すものなど、頭用衣類１２０にしっかりと結合され得る。より具体的には、鼻の部分１３０は、左側頭用衣類部分１３６にしっかりと結合されるか一体にされ得、こうして、頭用衣類１２０を着用すると、鼻の部分１３０が、右側頭用衣類部分１３４に、（たとえば、ホックとループの締結具を使用して）取外し可能に結合されるか取り付けられ得る。他の実施形態では、鼻の部分１３０は、頭用衣類１２０とは別のピースである場合があり、頭用衣類１２０を着用した後に、左側頭用衣類部分１３６と右側頭用衣類部分１３４との両方に、（たとえば、ホックとループの締結具を使用して）取外し可能に結合され得る。さらに、１つまたは複数の実施形態では、追加の、圧力を適用しない（たとえば、膨らませることができない）ストラップ１９８が、図１３から図１６に示すように、頭用衣類部分１２０及び／または首用衣類部分１１０をさらに固定するのに使用するために設けられ得る。
【０１１２】
本明細書に記載のように、例示的圧縮衣類及びその部分は、頭から胴へと下方にリンパ液を移動するように構成され得る。そのために、例示的圧縮衣類及びその部分は、例示的シークエンス及び時間のインターバルで圧力を適用するように構成され得る、複数の圧力適用領域（たとえば、流体チャンバなどによって規定される）を含んでいる。チャンバのシークエンスのいくつかの例示的実施形態が、図１８及び図１９に関して本明細書に記載されている。
【０１１３】
身体１０に着せられる例示的胴用衣類部分１４０は、図１８に示されている。この実施形態では、左側胴用衣類部分１５１と右側胴用衣類部分１５２とは、ジッパを使っては取り付けられていないが、代わりに、重なる部分を使用して取り付けられている。図示のように、圧力適用領域１４１は、図５Ａに示すものと同様に、Ｂ１、Ｂ２、Ｂ３、Ｂ４、Ｂ５、Ｂ６、Ｂ７、及びＢ８とラベルが付されている。圧力適用領域１４１の各々は、その領域に対応するか（着用された際に）隣接する胴の各領域に圧力の多くの様々なレベルまたは値を適用し得る。たとえば、胴用衣類部分１４０が、圧力適用領域１４１の各々に関する、流体で充填可能なチャンバを使用するか含むように構成されている場合、圧力のレベルまたは値は、水銀のミリメートルに関して（ｍｍＨｇ）記載され得る。しかし、身体の胴に適用される実際の圧力が、圧力適用領域１４１（たとえば、流体チャンバ）によって適用される圧力にぴったりとは依存しないが、やはり、どの程度「タイトに」胴用衣類部分１４０が胴の周りに巻かれ、結合されているかに依存することを理解されたい。通常、ユーザには、「心地よく」フィットするように、ユーザの胴の周りに胴用衣類部分１４０を巻くことが教示される。
【０１１４】
胴用衣類部分１４０の圧力適用領域１４１は、通常の、または第１の圧力値を提供するか、増大しているか、第２の圧力値（たとえば、増大しているか、第２の圧力値は、通常の、または第１の圧力値よりも大である）を提供するものとして記載され得る。少なくとも１つの実施形態では、胴用衣類部分１４０の圧力適用領域１４１に関する第１の、または通常の圧力値は、（大気圧に対して）約０ｍｍＨＧ、約１０ｍｍＨＧ、約２０ｍｍＨＧ、約３０ｍｍＨＧ、約５０ｍｍＨＧ、約６０ｍｍＨＧなどであり、胴用衣類部分１４０の圧力適用領域１４１に関する第２の、または増大した圧力値は、（大気圧に対して）約３０ｍｍＨＧ、約４０ｍｍＨＧ、約４５ｍｍＨＧ、約５０ｍｍＨＧ、約７０ｍｍＨＧ、約１００ｍｍＨＧなどである。たとえば、胴用衣類部分１４０の圧力適用領域１４１に関する第１の、または通常の圧力値は、約０ｍｍＨｇ以上、約５ｍｍＨｇ以上、約１０ｍｍＨｇ、約２０ｍｍＨｇ以上、約３０ｍｍＨｇ以上、約４０ｍｍＨｇ以上、約５０ｍｍＨｇ以上、約６０ｍｍＨｇ以上などである場合がある。さらに、たとえば、胴用衣類部分１４０の圧力適用領域１４１に関する第１の、または通常の圧力値は、約８０ｍｍＨｇ以下、約７０ｍｍＨｇ以下、約５５ｍｍＨｇ以下、約４５ｍｍＨｇ以下、約３５ｍｍＨｇ以下などである場合がある。たとえば、胴用衣類部分１４０の圧力適用領域１４１に関する第２の、または増大された圧力値は、約２０ｍｍＨｇ以上、約４０ｍｍＨｇ以上、約５０ｍｍＨｇ以上、約６０ｍｍＨｇ以上、約７０ｍｍＨｇ以上、約８０ｍｍＨｇ以上、約９０ｍｍＨｇ以上、約１０５ｍｍＨｇ以上、約１２０ｍｍＨｇ以上、約１４０ｍｍＨｇ以上、約１６０ｍｍＨｇ以上、約１９０ｍｍＨｇ以上などである場合がある。たとえば、胴用衣類部分１４０の圧力適用領域１４１に関する第２の、または増大された圧力値は、約３００ｍｍＨｇ以下、約２５０ｍｍＨｇ以下、約２００ｍｍＨｇ以下、約１７５ｍｍＨｇ以下、約１５０ｍｍＨｇ以下、約１３０ｍｍＨｇ以下、約１１０ｍｍＨｇ以下、約１００ｍｍＨｇ以下、約９５ｍｍＨｇ以下、約８５ｍｍＨｇ以下、約７５ｍｍＨｇ以下、約６５ｍｍＨｇ以下、約４５ｍｍＨｇ以下、約３０ｍｍＨｇ以下などである場合がある。
【０１１５】
図１８に示すように、胴用衣類部分１４０の圧力適用領域１４１は、「内側から外側への」シークエンスで、身体１０の中心軸から圧力を適用し得る。たとえば、圧力適用領域１４１（Ｂ１、Ｂ２、Ｂ３、Ｂ４、Ｂ５、Ｂ６、Ｂ７、及びＢ８）の各々は、第１の圧力値を適用するように構成され得、次いで、軸２０１に対してもっとも近い圧力適用領域１４１である、圧力適用領域Ｂ１及びＢ５が、たとえば約０．２秒から約４．０秒などの時間の選択された期間の間、第２の圧力値を適用し得る。空気は、それぞれの圧力適用領域を規定するチャンバ内に、ポンプから、選択された期間の間、導入され得ることを理解されたい。チャンバ、そしてひいては圧力適用領域が、選択された期間の間、空気を受領していない場合、チャンバは、バルブを通して周囲にベントされるか、排出させる場合がある。さらに、選択された期間を過ぎると、シークエンスがすぐに次の圧力適用領域に移動する場合があることを理解されたい。さらに、圧力適用領域に対応するいくつかのチャンバが、他のチャンバより大であり、このため、選択された期間が、同じ圧力を達成するように、より大であるチャンバに関しては大であり、より小であるチャンバに関しては小である場合があることを理解されたい。第２の、または増大された圧力値において構成されることになる圧力適用領域１４１に関する選択された期間は、約０．１秒以上、約０．２秒以上、約０．３秒以上、約０．４秒以上、約０．５秒以上、約０．７秒以上など、約１．０秒以上など、約１．２秒以上など、約１．５秒以上など、約１．９秒以上など、約２．４秒以上などである場合がある。さらに、たとえば、第２の、または増大された圧力値において構成されることになる圧力適用領域１４１に関する選択された期間は、約５．０秒以下、約４．５秒以下、約４．０秒以下、約３．５秒以下、約３．０秒以下、約２．７秒以下、約２．５秒以下、約２．３秒以下、約２．０秒以下、約１．８秒以下、約１．４秒以下、約１．１秒以下、約０．６秒以下などである場合がある。
【０１１６】
選択された期間が経過した後に、圧力適用領域Ｂ１及びＢ５は、第１の圧力値の適用に戻り得、軸２０１に対して２番目に近い圧力適用領域１４１である、圧力適用領域Ｂ２及びＢ６が、選択された期間の間、第２の圧力値を適用し得る。選択された期間が経過した後に、圧力適用領域Ｂ２及びＢ６は、第１の圧力値の適用に戻り得、軸２０１に対して３番目に近い圧力適用領域１４１である、圧力適用領域Ｂ３及びＢ７が、選択された期間の間、第２の圧力値を適用し得、次いで、同じことが、圧力適用領域Ｂ４及びＢ８の最後のセットに関して生じ得る。
【０１１７】
この実施形態では、左側胴用衣類部分と右側胴用衣類部分とからの一対の圧力適用領域１４１が、同じ圧力値を同時に適用しているが、他の実施形態では、左側胴用衣類部分と右側胴用衣類部分とからの圧力適用領域１４１は、異なるように構成されるか、作動する場合がある。さらに、この実施形態では、圧力適用領域Ｂ１とＢ５とが作動可能に結合され、Ｂ２とＢ６とが作動可能に結合され、Ｂ３とＢ７とが作動可能に結合され、また、Ｂ４とＢ８とが作動可能に結合されていることが記載され得る（たとえば、これら圧力適用領域の各々が、これら領域が同じか同様の圧力を共有し、それにより、これら領域が、流体の流れに関するチューブ及びバルブを通して流体的に結合されるようになっているように、作動可能に結合されるものとして記載される）。
【０１１８】
頭用衣類部分１２０の圧力適用領域１２１は、図１９に示す方式と同様の方式で動作し得る。図示のように、頭用衣類部分１２０の圧力適用領域１２１は、「顔から首、及び下方へ」のシークエンスで圧力を適用し得る。たとえば、圧力適用領域１２１（Ｄ８、Ｄ７、Ｄ６、Ｄ５）の各々は、第１の圧力値を適用するように構成され得、次いで、頭の顔にもっとも近い（たとえば、顔の表面に沿って、頭の鼻にもっとも近い）圧力適用領域１２１である、圧力適用領域Ｄ８が、たとえば約０．５秒から約３．０秒などの時間の選択された期間の間、第２の圧力値を適用し得る。第２の、または増大された圧力値において構成されることになる圧力適用領域１２１に関する選択された期間は、約０．１秒以上、約０．２秒以上、約０．３秒以上、約０．４秒以上、約０．５秒以上、約０．７秒以上など、約１．０秒以上など、約１．２秒以上など、約１．５秒以上など、約１．９秒以上、約２．４秒以上などである場合がある。さらに、たとえば、第２の、または増大された圧力値において構成されることになる圧力適用領域１２１に関する選択された期間は、約５．０秒以下、約４．５秒以下、約４．０秒以下、約３．５秒以下、約３．０秒以下、約２．７秒以下、約２．５秒以下、約２．３秒以下、約２．０秒以下、約１．８秒以下、約１．４秒以下、約１．１秒以下、約０．６秒以下などである場合がある。
【０１１９】
選択された期間が経過した後に、圧力適用領域Ｄ８は、第１の圧力値の適用に戻り得、頭の顔に対して２番目に近い圧力適用領域１２１である、圧力適用領域Ｄ７が、選択された期間の間、第２の圧力値を適用し得る。選択された期間が経過した後に、圧力適用領域Ｄ７は、第１の圧力値の適用に戻り得、頭の顔に対して３番目に近い圧力適用領域１２１である、圧力適用領域Ｄ６が、選択された期間の間、第２の圧力値を適用し得、次いで、同じことが、最後の圧力適用領域Ｄ５に関して生じ得る。
【０１２０】
図１８から図１９に関して示され、記載された圧力適用シークエンスは、一実施例に過ぎず、他のシークエンスが、本明細書に記載の例示的システム及び装置に使用され得る。さらに、これら圧力適用シークエンスの各々は、繰り返され、互いに関連して（同時に、または連続して）使用され、他のシークエンスで使用され、及び／または他の圧縮衣類で使用され得る。図１の例示的圧縮システム及び図５から図１９の例示的衣類部分の１つを使用して実施され得る、例示的治療方法が、図２０から図２２に示されている。図２０から図２２は、図１８及び図１９に関して示した１つまたは複数の圧力適用シークエンスを使用し得る。
【０１２１】
図２０の例示的方法５００は、図７から図１２に示す例示的胴用衣類部分１４０、及び、図１３から図１６に示す例示的頭用衣類部分１２０などの圧縮衣類５０２を着用することを含んでいる。５０２で圧縮衣類が着用されると、例示的方法５００は、準備フェイズ５１０を開始し得る。準備フェイズ５１０は概して、首及び頭の領域から排出されるリンパ液に関し、胸のエリアを準備するものとして記載され得る（たとえば、腋下のリンパ節を、そこへ排出するために準備する、リンパ液が通過するために、通路を準備する、など）。準備フェイズ５１０は、胸から頭の顔のもっとも近く（たとえば、頭の鼻から顔の表面を越えて）から、首へ、そして中心軸から外に、最終的に身体を通るように、圧力適用領域を通して適用される増大された圧力の、連続しているか、連続していないシークエンスを含み得る。増大した圧力の適用の連続したシークエンスは、ある位置にもっとも近い圧力適用領域、次いで、次に近いチャンバ、次いで、次に近いチャンバなどにおける圧力の増大で規定され得る。増大した圧力の適用の連続していないシークエンスは、連続していない圧力の増大の任意のシークエンスとして規定され得る。さらに、いくつかの連続していないシークエンスは、すべての他の圧力適用領域に適用される圧力を、外側の位置にもっとも近い圧力適用領域から増大させ、次いで、増大された圧力を１つずつ適用するように、スキップされた圧力適用領域に戻る（たとえば、「手を代わる代わる（ｈａｎｄ  ｏｖｅｒ  ｈａｎｄ）」のシークエンス）ことを含み得る。さらに、いくつかの実施形態では、圧力適用領域の各々は、選択された数のサイクルまたは繰返しで、圧力が迅速に増大され、次いで、迅速に低減され得る。
【０１２２】
本明細書で使用される場合、圧力適用シークエンスは、圧力適用領域のストリングによって列挙され、圧力適用領域のストリングは、選択された期間に、第２の、または増大された圧力値になるように構成された圧力適用領域の連続した順番で列挙される。たとえば、リスト内の第１の圧力適用領域（複数可）は、選択された期間の間、第２の圧力値になるように構成される第１の圧力適用領域（複数可）になり、リスト内の第２の圧力適用領域（複数可）は、次の選択された期間の間、第２の圧力値になるように構成される第２の圧力適用領域（複数可）になる、などである。
【０１２３】
例示的準備フェイズ５１０が、図２１に記載され、また、第１の胴の圧力適用シークエンス５１１、たとえば、Ｂ１及びＢ５、次いでＢ２及びＢ６、次いでＢ３及びＢ７、次いでＢ４及びＢ８などを実施することを含んでいる。第１の胴の圧力適用シークエンス５１１は、連続したシークエンスとして記載される場合がある。第１の胴の圧力適用シークエンス５１１が一度実施された後に、ボックス５１１に戻る矢印によって示されるように、このシークエンスが繰り返され得、そうでなければ、方法５１０は、第２の胴の圧力適用シークエンス５１２に移行し得る。この実施例では、第１の胴の圧力適用シークエンス５１１は、「繰返し」ラベルで示されているように、繰り返され得る。たとえば、第１の胴の圧力適用シークエンス５１１または他の胴の圧力適用シークエンスは、１回より多く、２回以上、３回以上、４回以上、１０回以上、１５回以上、２０回以上、３０回以上、４０回以上、５０回以上、７５回以上など、繰り返され得る。さらに、他の実施形態では、第１の胴の圧力適用シークエンス５１１または他の胴の圧力適用シークエンスは、２００回以下、１５０回以下、１００回以下、９０回以下、８０回以下、７０回以下、６０回以下、４５回以下、３５回以下、２５回以下、１４回以下、５回未満、４回未満、３回未満、２回未満など、繰り返され得る。
【０１２４】
第１の胴の圧力適用シークエンス５１１が、選択された回数だけ繰り返された後、例示的方法は、第２の胴の圧力適用シークエンス５１２、たとえば、Ｂ１及びＢ５、次いでＢ３及びＢ７、次いでＢ２及びＢ６、次いでＢ４及びＢ８などを実施し得る。これらシークエンスは、やはり、２回、３回、５回、１０回、２０回、３０回、５０回など、繰り返され得る。次いで、第３の胴の圧力適用シークエンス５１３、たとえば、Ｂ１及びＢ５、次いでＢ２及びＢ６、次いでＢ３及びＢ７、次いでＢ４及びＢ８などを実施し得る。これらシークエンスは、やはり、２回、３回、５回、１０回、２０回、３０回、５０回など、繰り返され得る。第２の胴の圧力適用シークエンス５１２は、連続していないシークエンス（たとえば、一つおきの、次いで、スキップした、「手を代わる代わる」に戻るなど）として記載される場合があり、第３の胴の圧力適用シークエンス５１３は、連続したシークエンスとして記載される場合がある。
【０１２５】
第３の胴の圧力適用シークエンス５１３の後に、例示的方法５００は、頭の圧力適用シークエンス５１４、たとえば、Ｄ８、Ｄ７、Ｄ６、Ｄ５などを実施し得る。頭の圧力適用シークエンス５１４が一度実施された後に、ボックス５１４に戻る矢印によって示されるように、このシークエンスが繰り返され得、そうでなければ、方法５１０は、中間の胴の圧力適用シークエンス５１５に移行し得る。この実施例では、頭の圧力適用シークエンス５１４は、「繰返し」ラベルで示されているように、繰り返され得る。たとえば、頭の圧力適用シークエンスは、１回より多く、２回以上、３回以上、４回以上、１０回以上、１５回以上、２０回以上、３０回以上、４０回以上、５０回以上、７５回以上、１１０回以上、１２０回以上など、繰り返され得る。さらに、他の実施形態では、頭の圧力適用シークエンスは、２００回以下、１５０回以下、１００回以下、９０回以下、８０回以下、７０回以下、６０回以下、４５回以下、３５回以下、２５回以下、２５回以下、１５回未満、１２回以下、１０回未満、５回未満など、繰り返され得る。
【０１２６】
頭の圧力適用シークエンス５１４が、選択された回数だけ繰り返された後、例示的方法５１０は、中間の胴の圧力適用シークエンス５１５を一度、たとえば、Ｂ１及びＢ５、次いでＢ２及びＢ６、次いでＢ３及びＢ７、次いでＢ４及びＢ８などを実施し、次いで頭の圧力適用シークエンス５１４に戻る。次いで、中間の胴の圧力適用シークエンス５１５が一度実施されると、頭の圧力適用シークエンス５１４は、たとえば１０回、１５回、２４回、３０回、５０回など、繰り返され得、その後に、中間の胴の圧力適用シークエンス５１５が、１回、２回、５回、１０回、２０回など、実施され得る。さらに、頭の圧力適用シークエンス５１４は次いで、たとえば１０回、１５回、２４回、３０回、５０回など、繰り返され得、その後に、中間の胴の圧力適用シークエンス５１５が、１回、２回、５回、１０回、２０回など、実施され得る。
【０１２７】
中間の胴の圧力適用シークエンス５１５が、３回目を実施した後に、準備フェイズ５１０が完了し得、方法５００が、排出フェイズ５２０に移動し得る。排出フェイズ５２０は概して、１つまたは複数の圧力適用領域に圧力を適用して、リンパ液を、頭及び首から、胴に、かつ胴を通して移動することが記載され得る。１つまたは複数の実施形態では、排出フェイズ５２０は、身体の頭の顔から始まり、身体の首に延び、身体の軸から外側に、身体の側部に向かって、圧力を連続的に適用するものとして記載され得る。１つまたは複数の実施形態では、排出フェイズ５２０は、連続的ではないが、依然として、本明細書に記載のようにリンパ液を移動するように構成されている場合がある。図２２に示す、例示的排出フェイズの方法５２０は、繰り返され得る、２つのシークエンスを含んでいる。より具体的には、排出フェイズの方法５２０は、たとえば、Ｄ８、次いでＤ７、次いでＤ６、次いでＤ５などの、頭の圧力適用シークエンス５２１を実施し、次いで、頭の圧力適用シークエンス５２１を実施した後に、たとえば、Ｂ１及びＢ５、次いでＢ２及びＢ６、次いでＢ３及びＢ７、次いでＢ４及びＢ８などの、胴の圧力適用シークエンス５２２を実施し、次いで、これら連続したシークエンス５２１、５２２を、２回、５回、１０回、２０回、２５回、３０回、４０回、５０回、６０回、７５回、１００回など、繰り返す。
【０１２８】
さらに、たとえば、頭の圧力適用シークエンス５２１及び胴の圧力適用シークエンス５２２は、３回以上、５回以上、１０回以上、１５回以上、２０回以上、３０回以上、４０回以上、５０回以上、７５回以上など、繰り返され得る。さらにまた、たとえば、頭の圧力適用シークエンス５２１及び胴の圧力適用シークエンス５２２は、２００回以下、１５０回以下、１００回以下、９０回以下、８０回以下、７０回以下、６０回以下、４５回以下、３５回以下、２５回以下、１４回以下、９回以下、６回以下など、繰り返され得る。
【０１２９】
別様に示されていない限り、本明細書及び特許請求の範囲に使用される、特徴のサイズ、量、及び物理的特性を示す数字のすべては、「ａｂｏｕｔ（約）」の用語により、すべての例において、変更されるものとして理解されるものとする。したがって、反対に示されていない限り、前述の明細書及び添付の特許請求の範囲に説明された数値上のパラメータは、本明細書に開示の教示を利用する当業者によって得ることが試みられる所望の特性に応じて変化し得る推定値である。端点による数値のレンジの使用には、そのレンジ内のすべての数（たとえば、１から５は、１、１．５、２、２．７５、３、３．８０、４、及び５を含んでいる）、及び、そのレンジ内の任意のレンジが含まれている。
【０１３０】
開示の実施例に示されている特定の材料及びその寸法、ならびに、他の条件及び詳細は、本開示を過度に制限するものとは解釈されないものとする。主題が、構造的特徴及び／または方法論的作用に特有の言語で記載されてきたが、添付の特許請求の範囲に規定される主題は、上述の特定の特徴または作用に必ずしも限定されるものではないことを理解されたい。むしろ、上述の特定の特徴及び作用は、特許請求の範囲を実施する代表的形態として開示されている。
【図１】
2019505301.tif 000003
【図２】
2019505301.tif 000004
【図３】
2019505301.tif 000005
【図４】
2019505301.tif 000006
【図５Ａ】
2019505301.tif 000007
【図５Ｂ】
2019505301.tif 000008
【図６】
2019505301.tif 000009
【図７】
2019505301.tif 000010
【図８】
2019505301.tif 000011
【図９】
2019505301.tif 000012
【図１０】
2019505301.tif 000013
【図１１】
2019505301.tif 000014
【図１２】
2019505301.tif 000015
【図１３】
2019505301.tif 000016
【図１４】
2019505301.tif 000017
【図１５】
2019505301.tif 000018
【図１６】
2019505301.tif 000019
【図１７Ａ】
2019505301.tif 000020
【図１７Ｂ】
2019505301.tif 000021
【図１８】
2019505301.tif 000022
【図１９】
2019505301.tif 000023
【図２０】
2019505301.tif 000024
【図２１】
2019505301.tif 000025
【図２２】
2019505301.tif 000026
【図２３Ａ】
2019505301.tif 000027
【図２３Ｂ】
2019505301.tif 000028
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
身体の頭の複数の部分に圧力を適用するように制御可能である、複数の頭用圧力適用領域、及び、
前記身体の胴の複数の部分に圧力を適用するように制御可能である、複数の胴用圧力適用領域、
を備えた頭用衣類及び胴用衣類と、
前記頭用衣類及び前記胴用衣類に操作可能に結合されて、少なくとも準備フェイズ及び排出フェイズにおいて、前記複数の頭用圧力適用領域及び前記複数の胴用圧力適用領域によって適用される圧力を制御する、コントローラと、を備え、
前記準備フェイズの際に、前記コントローラが、前記複数の胴用圧力適用領域及び前記複数の頭用圧力適用領域を使用して、前記胴の前記複数の部分及び前記頭の前記複数の部分に圧力を適用して、リンパ液が前記身体の前記頭及び首から排出されるように前記身体の前記胴を準備するように構成されており、
前記排出フェイズの際に、前記コントローラが、前記複数の胴用圧力適用領域及び前記複数の頭用圧力適用領域を使用して、前記胴の前記複数の部分及び前記頭の前記複数の部分に圧力を適用して、リンパ液を少なくとも前記頭から前記首へ、前記胴へ移動するように構成されている、圧縮衣類システム。
【請求項２】
前記身体が軸に沿って延び、前記準備フェイズの際に、前記コントローラが、
前記複数の胴用圧力適用領域を使用して、前記身体の前記胴の前記複数の部分に、前記軸から外側に圧力を適用するように、さらに構成されている、請求項１に記載の圧縮衣類システム。
【請求項３】
前記身体が軸に沿って延び、前記準備フェイズの際に、前記コントローラが、
前記複数の胴用圧力適用領域に圧力を適用した後に、前記複数の頭用圧力適用領域を使用して、前記身体の前記頭の前記複数の部分に、前記頭の顔から外側に圧力を適用するように、さらに構成されている、請求項１または請求項２のいずれか１項に記載の圧縮衣類システム。
【請求項４】
前記身体が軸に沿って延び、前記排出フェイズの際に、前記コントローラが、
前記複数の頭用圧力適用領域を使用して、前記身体の前記頭の前記複数の部分に、前記頭の前記顔から外側に圧力を適用し、
前記複数の頭用圧力適用領域に圧力を適用した後に、前記複数の胴用圧力適用領域を使用して、前記身体の前記胴の前記複数の部分に、前記軸から外側に圧力を適用するように、さらに構成されている、請求項１から請求項３のいずれか１項に記載の圧縮衣類システム。
【請求項５】
前記身体が軸に沿って延び、前記コントローラが、胴の圧力適用シークエンスを使用して、前記複数の胴用圧力適用領域を使用して、前記胴の前記複数の部分に圧力を適用するようにさらに構成され、前記胴の圧力適用シークエンスが、前記身体の前記軸にもっとも近い前記胴の前記複数の部分の部分から、前記身体の前記軸からもっとも離れた前記胴の前記複数の部分の部分へ連続的に、増大した圧力を適用することを含む、請求項１から請求項４のいずれかに記載の圧縮衣類システム。
【請求項６】
前記身体が軸に沿って延び、前記コントローラが、胴の圧力適用シークエンスを使用して、前記複数の胴用圧力適用領域を使用して、前記胴の前記複数の部分に圧力を適用するようにさらに構成され、前記胴の圧力適用シークエンスが、前記身体の前記軸にもっとも近い前記胴の前記複数の部分の部分から、前記身体の前記軸からもっとも離れた前記胴の前記複数の部分の部分へ不連続的に、増大した圧力を適用することを含む、請求項１から請求項４のいずれかに記載の圧縮衣類システム。
【請求項７】
前記コントローラが、頭の圧力適用シークエンスを使用して、前記複数の頭用圧力適用領域を使用して、前記頭の前記複数の部分に圧力を適用するようにさらに構成され、前記頭の圧力適用シークエンスが、前記頭の前記顔にもっとも近い前記頭の前記複数の部分の部分へ、前記頭の前記顔から遠く、前記身体の前記首にもっとも近い前記頭の前記複数の部分の部分へ連続的に、増大した圧力を適用することを含む、請求項１から請求項６のいずれかに記載の圧縮衣類システム。
【請求項８】
前記コントローラが、頭の圧力適用シークエンスを使用して、前記複数の頭用圧力適用領域を使用して、前記頭の前記複数の部分に圧力を適用するようにさらに構成され、前記頭の圧力適用シークエンスが、前記頭の前記顔にもっとも近い前記頭の前記複数の部分の部分へ、前記頭の前記顔から遠く、前記身体の前記首にもっとも近い前記頭の前記複数の部分の部分へ不連続的に、増大した圧力を適用することを含む、請求項１から請求項６のいずれかに記載の圧縮衣類システム。
【請求項９】
前記コントローラが、
前記複数の頭用圧力適用領域を使用して前記頭の前記複数の部分の１つではなくすべてに第１の圧力を適用し、
前記複数の頭用圧力適用領域を使用して前記頭の前記複数の部分の１つに、前記第１の圧力より大である第２の圧力を適用するようにさらに構成されている、請求項１から請求項８のいずれかに記載の圧縮衣類システム。
【請求項１０】
前記第１の圧力が約０ｍｍＨＧである、請求項９に記載の圧縮衣類システム。
【請求項１１】
前記第２の圧力が２０ｍｍＨＧ以上である、請求項９に記載の圧縮衣類システム。
【請求項１２】
前記コントローラが、
前記複数の胴用圧力適用領域を使用して前記胴の前記複数の部分の１つではなくすべてに第１の圧力を適用し、
前記複数の胴用圧力適用領域を使用して前記胴の前記複数の部分の１つに、前記第１の圧力より大である第２の圧力を適用するようにさらに構成されている、請求項１から請求項１１のいずれかに記載の圧縮衣類システム。
【請求項１３】
前記第１の圧力が約０ｍｍＨＧである、請求項１２に記載の圧縮衣類システム。
【請求項１４】
前記第２の圧力が４０ｍｍＨＧ以上である、請求項１２に記載の圧縮衣類システム。
【請求項１５】
身体の胴の近位に配置可能な胴用衣類部分であって、前記胴用衣類部分が、前記胴の複数の部分に圧力を適用するように制御可能である、複数の胴用圧力適用領域を規定し、前記胴用衣類部分がさらに、
前記胴の後部から前記胴の前記左側を越えて前記胴の前記前部に延びる左側胴用衣類部分と、
前記胴の後部から前記胴の前記右側を越えて前記胴の前記前部に延びる右側胴用衣類部分であって、前記右側胴用衣類部分が、前記左側胴用衣類部分に、前記胴の前記前部の近位で取外し可能に結合可能である、前記右側胴用衣類部分と、
前記胴の前記後部の近位に配置可能であり、前記胴の首領域の近位の前記左側衣類部分及び前記右側衣類部分に結合された、後部胴用衣類部分と、
前記後部胴用衣類部分から延びて、前記胴の前記左側周りに、前記胴の前記前部に延びる、左側巻付け部分であって、前記左側巻付け部分が、前記胴用衣類部分を前記身体の前記胴の周りに締め付けるように、少なくとも前記左側胴用衣類部分に取外し可能に結合可能である、前記左側巻付け部分と、
前記後部胴用衣類部分から延びて、前記胴の前記右側周りに、前記胴の前記前部に延びる、右側巻付け部分であって、前記右側巻付け部分が、前記胴用衣類部分を前記身体の前記胴の周りに締め付けるように、少なくとも前記右側胴用衣類部分に取外し可能に結合可能である、前記右側巻付け部分と、
を備えている、前記胴用衣類部分を備えた、圧縮衣類システム。
【請求項１６】
前記左側巻付け部分と前記右側巻付け部分との各々が、前記左側巻付け部分と前記右側巻付け部分とを前記身体の前記胴の周りに移動するように、前記身体の手を受領するように構成されたミット開口を備えている、請求項１５に記載の圧縮衣類システム。
【請求項１７】
前記左側巻付け部分と前記右側巻付け部分との各々が、前記胴用衣類部分を前記身体の近位で締め付けるための締付装置を備え、前記締付装置が、
前記巻付け部分の第１の部分と第２の部分との間に位置する少なくとも１本の紐と、
前記少なくとも１本の紐に結合され、前記巻付け部分の前記第１の部分を前記巻付け部分の前記第２の部分に対して移動するように、前記少なくとも１本の紐にテンションを適用するように構成された、締付デバイスと、を備えている、請求項１５または請求項１６のいずれか１項に記載の圧縮衣類システム。
【請求項１８】
前記右側胴用衣類部分及び前記左側胴用衣類部分が、少なくとも前記後部胴用衣類部分に、前記胴の後部の近位で、前記胴用衣類部分に関する複数の異なるサイズを規定するために複数の位置に沿って、取外し可能に結合可能である、請求項１５から請求項１７のいずれか１項に記載の圧縮衣類システム。
【請求項１９】
前記右側胴用衣類部分が、ジッパを使用して、前記左側胴用衣類部分に、前記胴の前記前部の近位で取外し可能に結合可能である、請求項１５から請求項１８のいずれか１項に記載の圧縮衣類システム。
【請求項２０】
前記身体の前記首の近位に位置付け可能である、前記左側胴用衣類部分及び前記右側胴用衣類部分に結合された首用衣類部分をさらに備え、前記首用衣類部分が、前記身体の少なくとも１つの首部分に圧力を適用するように制御可能である、少なくとも１つの首用圧力適用領域を規定し、前記首用衣類部分が、前記複数の胴用圧力適用領域の選択された胴用圧力適用領域に操作可能に結合されて、前記選択された胴用圧力適用領域と同じ圧力量を適用する、請求項１５から請求項１９のいずれか１項に記載の圧縮衣類システム。
【請求項２１】
前記胴用衣類と関連して、身体の頭の１つまたは複数の部分に圧力を適用するように制御可能である複数の頭用圧力適用領域を規定する頭用衣類部分をさらに備えている、請求項１５から請求項２０のいずれか１項に記載の圧縮衣類システム。
【請求項２２】
前記複数の胴用圧力適用領域が、複数の左側胴用圧力適用領域と、前記複数の左側胴用圧力適用領域とは異なる複数の右側胴用圧力適用領域とを備え、前記複数の左側胴用圧力適用領域の各々が、前記複数の右側胴用圧力適用領域の異なる右側胴用圧力適用領域に操作可能に結合されており、前記操作可能に結合された右側胴用圧力領域と左側胴用圧力領域とが、同じ適用圧力を共有する、請求項１５から請求項２１のいずれか１項に記載の圧縮衣類システム。
【国際調査報告】
2019505301.tif 000029
2019505301.tif 000030
2019505301.tif 000031